(57)【要約】【課題】配線の接続作業性を確保して接続装置を小型化すること。【解決手段】第１操作部２３１を有する第１レバー部材２３１と、第２操作部２４１を有する第２レバー部材２４０とを備え、第１操作部２３１が押圧方向奥側に、第２操作部２４１が押圧方向手前側に、互いに位置を異ならせて配置されているので、これら第１操作部２３１及び第２操作部２４１の両方を誤って一度に押圧操作するという誤操作を抑制することができる。よって、第１操作部２３１又は第２操作部２４１の内の一方のみの押圧操作を単独で行い易くすることができるので、第１操作部２３１及び第２操作部２４１の隣接間隔や、第１操作部２３１及び第２操作部２４１の寸法を小さくすることができ、その結果、接続装置２００の小型化を図ることができる。【選択図】図７
2014208227.tif 000002
【特許請求の範囲】
【請求項１】
遊技情報を外部に出力するための配線が接続される接続手段を備えた遊技機において、
前記接続手段は、
前記配線が挿入される挿入口を有するケースと、
その挿入口に対応するよう設けられる端子部と、
押圧操作可能なレバーと、
そのレバーの所定部位を前記端子部側へ付勢するための付勢手段とを備え、
前記レバーが押圧操作されることで、前記所定部位が前記端子部から離間する側へ移動される一方、そのレバーの押圧操作が解除されることで、前記付勢手段の付勢により前記所定部位が前記端子部側へ移動され、
前記ケースは、
前記挿入口が設けられる上面部と、
その上面部に対向配置される底面部とを少なくとも備え、
前記レバーは、
第１操作部を有する第１レバーと、
第２操作部を有し、押圧操作されていない場合の前記第２操作部が押圧操作されていない場合の前記第１操作部よりも前記底面部から離れた位置に位置する第２レバーとを少なくとも含み、
特定の押下位置まで押圧操作された場合の前記第２操作部の先端は、前記接続手段を上面視した場合の前記第２操作部の押圧操作によって該第２操作部の先端の位置が変位する方向において、押圧操作されていない場合の前記第１操作部の先端よりも前記ケースから外方に位置することを特徴とする遊技機。
【発明の詳細な説明】
【技術分野】
【０００１】
本発明は、パチンコ機等に代表される遊技機に関するものである。
【背景技術】
【０００２】
従来より、パチンコ機やスロットマシン等の遊技機の裏面側には、複数の外部端子を有する接続装置が設けられている。この接続装置の各外部端子には、管理装置に通じる配線がそれぞれ接続されており、それら各配線を介して遊技に関する情報が遊技機から管理装置へ送信されることで、管理装置側で遊技機の状況を管理することができるように構成されている。
【先行技術文献】
【特許文献】
【０００３】
【特許文献１】特開平１１−０７６５１１号公報
【発明の概要】
【発明が解決しようとする課題】
【０００４】
ところで、接続装置は、遊技機の裏面側に配設されるが、かかる遊技機の裏面側には、各種制御基板や遊技媒体の流通経路などが配設されるため、接続装置の配設スペースを十分に確保することが困難であるという問題点があった。そのため、接続装置を小型化することが好ましい。
【０００５】
本発明は、上記例示した問題点等を解決するためになされたものであり、接続装置を小型化することができる遊技機を提供することを目的としている。
【課題を解決するための手段】
【０００６】
この目的を達成するために、請求項１記載の遊技機は、遊技情報を外部に出力するための配線が接続される接続装置を備えるものであり、前記接続装置は、前記配線が挿入される挿入孔を有するケース部材と、そのケース部材の挿入口の内壁に配設される端子部材と、その端子部材に対して近接離間可能な状態で前記ケース部材に配設されるレバー部材と、そのレバー部材を前記端子部材に近接する側へ向けて付勢する付勢部材と、を備え、前記レバー部材が押圧操作されることで、前記レバー部材が前記端子部材から離間する方向へ移動される一方、そのレバー部材の押圧操作が解除されることで、前記付勢部材の付勢により前記レバー部材が前記端子部材に近接する方向へ移動され、前記レバー部材は、前記ケース部材から突出される第１操作部を有する第１レバー部材と、前記ケース部材から突出される第２操作部を有すると共にその第２操作部が前記第１レバー部材の第１操作部よりも前記押圧操作の方向と反対側へ後退して位置する第２レバー部材とを少なくとも備える。
【０００７】
請求項２記載の遊技機は、請求項１記載の遊技機において、前記第１レバー部材および第２レバー部材は、それぞれが少なくとも前記端子部材に最も近接する状態において、前記第１操作部の突出先端部が、前記第２操作部の突出先端部よりも押圧方向視で外方に位置する。
【０００８】
請求項３記載の遊技機は、請求項１又は２に記載の遊技機において、前記第１レバー部材および第２レバー部材は、それぞれが前記端子部材との間に前記配線を接続するための空間を設けた状態において、前記第１操作部の突出先端部が、前記第２操作部の突出先端部よりも押圧方向視で外方に位置する。
【発明の効果】
【０００９】
請求項１記載の遊技機によれば、配線が挿入される挿入孔を有するケース部材と、そのケース部材の挿入口の内壁に配設される端子部材と、その端子部材に対して近接離間可能な状態で前記ケース部材に配設されるレバー部材と、そのレバー部材を前記端子部材に近接する側へ向けて付勢する付勢部材とを接続装置が備え、レバー部材が押圧操作されることで、レバー部材が端子部材から離間する方向へ移動される一方、そのレバー部材の押圧操作が解除されることで、付勢部材の付勢によりレバー部材が端子部材に近接する方向へ移動される。
【００１０】
この場合、レバー部材は、ケース部材から突出される第１操作部を有する第１レバー部材と、ケース部材から突出される第２操作部を有すると共にその第２操作部が第１レバー部材の第１操作部よりも押圧操作の方向と反対側へ後退して位置する第２レバー部材とを少なくとも備えるので、接続装置を小型化することができるという効果がある。
【００１１】
即ち、第１操作部が押圧方向奥側に、第２操作部が押圧方向手前側に、互いに位置を異ならせて配置されているので、これら第１操作部および第２操作部の両方を誤って一度に押圧操作するという誤操作を抑制することができる。よって、第１操作部または第２操作部の内の一方のみの押圧操作を単独で行い易くすることができるので、第１操作部および第２操作部の隣接間隔や、第１操作部および第２操作部の寸法を小さくすることができ、その結果、接続装置の小型化を図ることができる。
【００１２】
請求項２記載の遊技機によれば、請求項１記載の遊技機の奏する効果に加え、第１レバー部材および第２レバー部材がそれぞれ端子部材に最も近接する状態（即ち、配線を挿入する前の状態）において、第１操作部の突出先端部が、第２操作部の突出先端部よりも押圧方向視で外方に位置するので、かかる外方に位置する部分を利用して、第２操作部のみの押圧操作を単独で行い易くすることができるという効果がある。よって、配線を挿入する作業を行うために、第１操作部を押圧操作する場合に、第１操作部および第２操作部の両方を誤って一度に押圧操作するという誤操作を抑制することができる。従って、その分、第１操作部および第２操作部の間の隣接間隔や、第１操作部および第２操作部の寸法を小さくすることができ、接続装置の小型化を図ることができるという効果がある。
【００１３】
なお、突出先端部としては、接続装置の幅方向において最も外方に位置する部位であっても良く、或いは、第１レバー部材及び第２レバー部材が回動可能に構成される場合には、回動中心から最も離間して位置する部位であっても良い。以下において同様である。
【００１４】
請求項３記載の遊技機によれば、請求項１又は２に記載の遊技機の奏する効果に加え、第１レバー部材および第２レバー部材がそれぞれ前記端子部材との間に前記配線を接続するための空間を設けた状態（即ち、第１レバー部材および第２レバー部材と端子部材との間に配線を配置するための空間を設けた状態）において、第１操作部の突出先端部が、第２操作部の突出先端部よりも押圧方向視で外方に位置するので、かかる外方に位置する部分を利用して、第２操作部のみの押圧操作を単独で行い易くすることができるという効果がある。よって、配線を接続する作業、或いは、配線が接続された後、その配線を取り外す作業を行うために、第１操作部を押圧操作する場合に、第１操作部および第２操作部の両方を誤って一度に押圧操作するという誤操作を抑制することができる。従って、その分、第１操作部および第２操作部の間の隣接間隔や、第１操作部および第２操作部の寸法を小さくすることができ、接続装置の小型化を図ることができるという効果がある。
【図面の簡単な説明】
【００１５】
【図１】本発明の一実施の形態におけるパチンコ機の正面図である。
【図２】パチンコ機の遊技盤の正面図である。
【図３】パチンコ機の背面図である。
【図４】接続装置の正面図である。
【図５】接続装置の上面図である。
【図６】接続装置の側面図である。
【図７】図５のＶＩＩ−ＶＩＩ線における接続装置の断面図である。
【図８】図５のＶＩＩＩ−ＶＩＩＩ線における接続装置の断面図である。
【図９】（ａ）は、端子部材の側面図であり、（ｂ）は、図９（ａ）の矢印ＩＸｂ方向から視た端子部材の正面図である。
【図１０】（ａ）は、第１レバー部材の正面図であり、（ｂ）は、図１０（ａ）の矢印Ｘｂ方向から視た第１レバー部材の側面図である。
【図１１】（ａ）は、第２レバー部材の正面図であり、（ｂ）は、図１１（ａ）の矢印ＸＩｂ方向から視た第２レバー部材の側面図である。
【図１２】（ａ）は、ケース部材の断面図であり、（ｂ）は、図１２（ａ）のＸＩＩｂ−ＸＩＩｂ線におけるケース部材の断面図である。
【図１３】接続装置の断面図である。
【図１４】接続装置の断面図である。
【図１５】パチンコ機の電気的構成を示すブロック図である
【図１６】第２実施の形態における接続装置の上面図である
【図１７】第３実施の形態における接続装置の上面図である。
【図１８】（ａ）は、第１レバー部材の正面図であり、（ｂ）は、図１８（ａ）の矢印ＸＶＩＩＩｂ方向から視た第１レバー部材の側面図である。
【図１９】（ａ）は、第２レバー部材の正面図であり、（ｂ）は、図１９（ａ）の矢印ＸＩＸｂ方向から視た第２レバー部材の側面図である。
【発明を実施するための形態】
【００１６】
以下、本発明の好ましい実施の形態について、添付図面を参照して説明する。図１は、本発明の一実施の形態におけるパチンコ遊技機（以下「パチンコ機」と称す）１０の正面図であり、図２は、パチンコ機１０の遊技盤１３の正面図であり、図３は、パチンコ機１０の背面図である。
【００１７】
パチンコ機１０は、図１に示すように、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１８】
内枠１２には、多数の釘や入賞口６３，６４等を有する遊技盤１３（図２参照）が裏面側から着脱可能に装着される。この遊技盤１３の前面を球が流下することにより弾球遊技が行われる。なお、内枠１２には、球を遊技盤１３の前面領域に発射する球発射ユニット（図示せず）やその球発射ユニットから発射された球を遊技盤１３の前面領域まで誘導する発射レール（図示せず）等が取り付けられている。
【００１９】
内枠１２の前面側には、その前面上側を覆う前面枠１４と、その下側を覆う下皿ユニット１５とが設けられている。前面枠１４及び下皿ユニット１５を支持するために正面視（図１参照）左側の上下２カ所に金属製のヒンジ１９が取り付けられ、そのヒンジ１９が設けられた側を開閉の軸として前面枠１４及び下皿ユニット１５が正面手前側へ開閉可能に支持されている。なお、内枠１２の施錠と前面枠１４の施錠とは、シリンダ錠２０の鍵穴２１に専用の鍵を差し込んで所定の操作を行うことでそれぞれ解除される。
【００２０】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤１３の前面がパチンコ機１０の正面側に視認可能となっている。前面枠１４には、球を貯留する上皿１７が前方へ張り出して上面を開放した略箱状に形成されており、この上皿１７に賞球や貸出球などが排出される。
【００２１】
上皿１７の底面は正面視（図１参照）右側に下降傾斜して形成され、その傾斜により上皿１７に投入された球が球発射ユニット（図示せず）へと案内される。また、上皿１７の上面には、枠ボタン２２が設けられている。この枠ボタン２２は、例えば、第３図柄表示装置８１（図２参照）で表示される変動表示の演出パターンを変更したり、リーチ演出時の演出内容を変更したりする場合などに、遊技者により操作される。
【００２２】
加えて、前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。
【００２３】
また、前面枠１４の正面視（図１参照）左上部には、ＬＥＤ等の発光手段が内蔵され賞球の払い出し中とエラー発生時とを表示可能な表示ランプ３４が設けられている。また、右側の電飾部３２下側には、前面枠１４の裏面側を視認できるように裏面側より透明樹脂を取り付けて小窓３５が形成され、遊技盤１３前面の貼着スペースＫ１（図２参照）に貼付される証紙等がパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２４】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。
【００２５】
具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２６】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設され、かかる操作ハンドル５１の内部には球発射ユニット（図示せず）の駆動を許可するためのタッチセンサ（図示せず）と、操作ハンドル５１の回動操作量を電気抵抗の変化により検出する可変抵抗器（図示せず）とが内蔵されている。
【００２７】
操作ハンドル５１が遊技者によって右回りに回転操作されると、タッチセンサがオンされると共に可変抵抗器の抵抗値が操作量に対応して変化し、操作ハンドル５１の回動操作量に応じて変化する可変抵抗器の抵抗値に対応した強さで球が発射され、これにより遊技者の操作に対応した飛び量で遊技盤１３の前面へ球が打ち込まれる。
【００２８】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。かかる球抜きレバー５２の操作は、通常、下皿５０の下方に下皿５０から排出された球を受け取る箱（一般に「千両箱」と称される）を置いた状態で行われる。
【００２９】
図２に示すように、遊技盤１３は、正面視略正方形状に切削加工した木製のベース板６０に、球案内用の多数の釘や風車およびレール６１，６２、一般入賞口６３、第１入球口６４、可変入賞装置６５、可変表示装置ユニット８０等を組み付けて構成され、その周縁部が内枠１２の裏面側に取り付けられる。一般入賞口６３、第１入球口６４、可変入賞装置６５、可変表示装置ユニット８０は、ルータ加工によってベース板６０に形成された貫通穴に配設され、遊技盤１３の前面側から木ネジ等により固定されている。また、遊技盤１３の前面中央部分は、前面枠１４の窓部１４ｃを通じて内枠１３の前面側から視認することができる。以下に、遊技盤１３の構成について説明する。
【００３０】
遊技盤１３の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２と円弧部材７０とにより区画して形成される略円形状の領域である。
【００３１】
２本のレール６１，６２は、球発射ユニット（図示せず）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。また、内レール６１の右下側の先端部と外レール６２の右上側の先端部との間には、レール間を繋ぐ円弧を内面側に設けて形成された樹脂製の円弧部材７０がベース板６０に打ち込んで固定されている。
【００３２】
遊技領域の正面視左側下部（図２の左側下部）には、発光手段である複数のＬＥＤ３７ａと７セグメント表示器３７ｂとが設けられた第１図柄表示装置３７と、第２入球口６７の球の通過をトリガとして第２図柄を変動表示するＬＥＤ等の発光手段で構成される第２図柄表示装置３８とが配設されている。第１図柄表示装置３７は、後述する主制御装置１１０（図１５参照）で行われる各制御に応じた表示がなされるものであり、主にパチンコ機１０の遊技状態の表示が行われる。複数のＬＥＤ３７ａは、パチンコ機１０が確変中か時短中か通常中であるかを点灯状態により示したり、変動中であるか否かを点灯状態により示したり、停止図柄が確変大当たりに対応した図柄か通常大当たりに対応した図柄か外れ図柄であるかを点灯状態により示したり、保留球数を点灯状態により示すものである。７セグメント表示装置３７ｂは、大当たり中のラウンド数やエラー表示を行うものである。なお、ＬＥＤ３７ａは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３３】
なお、上述したパチンコ機１０が確変中とは、大当たり確率がアップして特別遊技状態へ移行し易い遊技の状態である。さらに、本実施形態における確変中は、第２図柄の当たり確率がアップして第１入球口６４へ球が入球し易い遊技の状態である。また、パチンコ機１０が時短中とは、大当たり確率がそのままで第２図柄の当たり確率のみがアップして第１入球口６４へ球が入球し易い遊技の状態である。また、パチンコ機１０が通常中とは、確変中でも時短中でもない遊技の状態（大当たり確率も第２図柄の当たり確率もアップしていない状態）である。なお、パチンコ機１０の遊技状態に応じて、第１入球口６４に付随する電動役物（図示せず）が開放する時間や、１回の当たりで電動役物が開放する回数を変更するものとしても良い。
【００３４】
第２図柄表示装置３８は、第２図柄の表示部３８ａを有し、球が第２入球口６７を通過する毎に、表示部３８ａにおいて表示図柄（第２図柄）としての「○」の図柄と「×」の図柄とが交互に点灯して変動表示が行われ、その変動表示が所定図柄（本実施形態においては「○」の図柄）で停止した場合に第１入球口６４が所定時間だけ作動状態となる（開放される）よう構成されている。球の第２入球口６７の通過回数は最大４回まで保留され、その保留回数が上述した第１図柄表示装置３７により表示されると共に第３図柄表示装置８１の一部においても点灯表示される。なお、第２図柄の変動表示は、本実施形態のように、表示部３８ａにおいて複数のランプの点灯と非点灯を切り換えることにより行うものの他、第１図柄表示装置３７及び第３図柄表示装置８１の一部を使用して行うようにしても良い。また、第２入球口６７の通過は、最大保留回数は４回に限定されるものでなく、３回以下、又は、５回以上の回数（例えば、８回）に設定しても良い。また、第１図柄表示装置３７により保留回数が示されるので、第３図柄表示装置８１により点灯表示を行わないものとしても良い。
【００３５】
また、遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入球口６４への入賞をトリガとして第３図柄を変動表示する液晶ディスプレイ（以下「ＬＣＤ」と略す）で構成された第３図柄表示装置８１と、役物装置８２とが設けられている。
【００３６】
第３図柄表示装置８１は、後述する表示制御装置１１４（図１５参照）によって表示内容が制御され、例えば左、中及び右の３つの図柄列が表示される。各図柄列は複数の図柄によって構成され、これらの図柄が図柄列毎にスクロールして第３図柄表示装置８１の表示画面上にて第３図柄が可変表示されるようになっている。また、本実施形態では、第３図柄表示装置８１は８インチサイズの大型の液晶ディスプレイで構成され、可変表示装置ユニット８０には、この第３図柄表示装置８１の外周を囲むようにして、センターフレーム８３が配設されている。本実施形態の第３図柄表示装置８１は、主制御装置１１０の制御に伴った遊技状態の表示が第１図柄表示装置３７で行われるのに対して、その第１図柄表示装置３７の表示に応じた装飾的な表示を行うものである。
【００３７】
また、第１図柄表示装置３７にて停止図柄（確変大当たり図柄、通常大当たり図柄、外れ図柄のいずれか１つ）が表示されるまでの間に球が第１入球口６４へ入球した場合、その入球回数は最大４回まで保留され、その保留回数は第１図柄表示装置３７により示されると共に第３図柄表示装置８１の一部においても点灯表示される。なお、本実施形態においては、第１入球口６４への入賞は、最大４回まで保留されるように構成したが、最大保留回数は４回に限定されるものでなく、３回以下、又は、５回以上の回数（例えば、８回）に設定しても良い。また、第１入球口６４への入賞に基づく変動表示の保留回数を第３図柄表示装置８１の一部に数字で、或いは、４つに区画された領域を保留回数分だけ異なる態様（例えば、色や点灯パターン）にして表示するようにしても良い。また、第１図柄表示装置３７により保留回数が示されるので、第３図柄表示装置８１により点灯表示を行わないものとしても良い。
【００３８】
役物装置８２は、ＬＥＤ等の発光手段（図示せず）が内蔵された第１役物８２ａ及び第２役物８２ｂを有し、内蔵されたＬＥＤの点灯や点滅の発光態様が主制御装置１１０によって変更制御される。
【００３９】
可変表示装置ユニット８０の下方には、球が入球し得る第１入球口６４が配設されている。この第１入球口６４へ球が入球すると遊技盤１３の裏面側に設けられる第１入球口スイッチ（各種スイッチ１２０８（図１５参照）の一部）がオンとなり、その第１入球口スイッチのオンに起因して主制御装置１１０で大当たりの抽選がなされ、その抽選結果に応じた表示が第１図柄表示装置３７のＬＥＤ３７ａで示される。また、第１入球口６４は、球が入球すると５個の球が賞球として払い出される入賞口の１つにもなっている。
【００４０】
第１入球口６４の下方には可変入賞装置６５が配設されており、その略中央部分に横長矩形状の特定入賞口（大開放口）６５ａが設けられている。パチンコ機１０においては、主制御装置１１０での抽選が大当たりとなると、所定時間（変動時間）が経過した後に、大当たりの停止図柄となるよう第１図柄表示装置３７のＬＥＤ３７ａを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００４１】
この特定入賞口６５ａは、所定時間が経過すると閉鎖され、その閉鎖後、再度、その特定入賞口６５ａが所定時間開放される。この特定入賞口６５ａの開閉動作は、最高で例えば１６回（１６ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００４２】
可変入賞装置６５は、具体的には、特定入賞口６５ａを覆う横長矩形状の開閉板と、その開閉板の下辺を軸として前方側に開閉駆動するための大開放口ソレノイド（ソレノイド１２０９（図１５参照）の一部）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００４３】
なお、上記した形態に特別遊技状態は限定されるものではない。特定入賞口６５ａとは別に開閉される大開放口を遊技領域に設け、第１図柄表示装置３７において大当たりに対応したＬＥＤ３７ａが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。
【００４４】
遊技盤１３の下側における右の隅部には、証紙や識別ラベル等を貼着するための貼着スペースＫ１が設けられ、貼着スペースＫ１に貼られた証紙等は、前面枠１４の小窓３５を通じて視認することができる。
【００４５】
さらに、遊技盤１３には、アウト口６６と第２入球口（スルーゲート）６７とが設けられている。いずれの入賞口６３，６４，６５ａにも入球しなかった球はアウト口６６を通って図示しない球排出路へと案内される。遊技盤１３には、球の落下方向を適宜分散、調整等するために多数の釘が植設されているとともに、風車等の各種部材（役物）が配設されている。
【００４６】
図３に示すように、パチンコ機１０の背面側には、制御基板ユニット９０，９１と、裏パックユニット９４と、接続装置２００とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００４７】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００４８】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００４９】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００５０】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ１２１６（図１４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００５１】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ１２１６部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００５２】
接続装置２００は、パチンコ機１０を遊技ホールの島設備に設置した後に、遊技ホールの管理装置に通じる配線が接続される装置であり（いずれも図示せず）、パチンコ機１０の裏面側の一隅部（タンクレール１３１の下流側近傍）に配設されている。この接続装置２００に接続された配線を介して、遊技機に関する情報が管理装置へ送信されることで、管理装置側でパチンコ機１０の状況を管理することができる。
【００５３】
なお、遊技に関する情報としては、例えば、大当たりに関する情報（例えば、大当たり中に出力される信号）、特別図柄確定に関する情報（例えば、特別図柄の変動が停止するごとに出力される信号）、大当たり及び時間短縮に関する情報（例えば、大当たり中および図柄の変動時間短縮中に出力される信号）、時間短縮状態に関する情報（例えば、図柄の変動時間短縮中に出力される信号）、始動口入賞に関する情報（例えば、一般入賞口６３に入賞するごとに出力される信号）、不正検知に関する情報（例えば、大当たり中以外に特定入賞口６５ａへの入賞があった場合に出力される信号）、賞球に関する情報（例えば、賞球を１０個払い出すごとに出力される信号）、内枠に関する情報（例えば、内枠１２開放時に出力される信号）、ガラスに関する情報（例えば、ガラスユニット１６開放時に出力される信号）、などが例示される。
【００５４】
次いで、図４から図６を参照して、接続装置２００の概略構成について説明する。図４は、接続装置２００の正面図であり、図５は、接続装置２００の上面図である。また、図６は、接続装置２００の側面図である。なお、図６では、図面を簡素化して、理解を容易とするために、付勢部材２５０が二点鎖線を用いて模式的に図示されている。
【００５５】
図４から図６に示すように、接続装置２００は、透光性の樹脂材料から構成されるケース部材２１０と、そのケース部材２１０の内部に配設され導電性材料から構成される複数の端子部材２２０と、それら各端子部材２２０に対して近接離間可能な状態でケース部材２１０に配設され樹脂材料から構成される複数の第１レバー部材２３０及び第２レバー部材２４０と、それら各第１レバー部材２３０及び第２レバー部材２４０を端子部材２２０に近接する側へ向けて付勢する複数の付勢部材２５０とを備えている。
【００５６】
ケース部材２１０は、上面視（図５紙面垂直方向視）長方形の板状体に形成される上面壁２１１と、その上面壁２１１に対向配置されると共に底面視（図５紙面垂直方向視）長方形の板状体に形成される底面壁２１２と、それら上面壁２１１及び底面壁２１２の長手方向（図４紙面垂直方向、図５及び図６左右方向）両端を連結すると共に正面視（図４紙面垂直方向視）が頂部を直線状に除去した半円形状の板状体に形成される一対の端側壁２１３と、それら一対の端側壁２１３間を接続する一対の側面壁２１４とを主に備え、これら各部材２１１〜２１４により、中空の箱状に形成されている。
【００５７】
上面壁２１１には、図５に示すように、配線Ｗ（図１３参照）を挿抜するための開口である挿入孔２１１ａが複数（本実施の形態では１０個）穿設されており、ケース部材２１０の内部空間と外部とが挿入孔２１１ａを介して連通されている。これら複数の挿入孔２１１ａは、上面壁２１１の幅方向（図５上下方向）に所定間隔を隔てて配設される一対一組が、上面壁２１１の長手方向（図５左右方向）に沿って等間隔に複数組（本実施の形態では１０組）が配設されている。
【００５８】
底面壁２１２には、その底面壁２１２の幅方向（図４左右方向）中央に位置しつつ長手方向（図６左右方向）に延設される正面視矩形状の底壁開口２１２ａが開口形成されており、ケース部材２１０の内部空間と外部とが底壁開口２１２ａを介して連通されている。これにより、ケース部材２１０の内部に配設される端子部材２２０の一端が外部へ突出され、基板（図示せず）に接続可能とされている。
【００５９】
端側壁２１３は、一対が対向配置されており、これにより、ケース部材２１０の長手方向（図５及び図６左右方向）両端が閉塞されている。側面壁２１４は、ケース部材２１０の幅方向（図４左右方向）両側に配設されると共に、図６に示すように、底面壁２１２から立設されており、その側面壁２１４の立設端側（図６上側）には、上面壁２１１と一対の端側壁２１３と側面壁２１４とで囲まれる側壁開口２１４ａが開口形成されている。
【００６０】
これにより、ケース部材２１０の内部空間と外部とが側壁開口２１４ａを介して連通され、第１レバー部材２３０及び第２レバー部材２４０の一端（第１操作部２３２及び第２操作部２４２）がケース部材２１０内から外部へ突出されると共に、これら第１レバー部材２３０及び第２レバー部材２４０が上下方向（図４上下方向）に移動可能に構成されている。
【００６１】
ここで、ケース部材２１０には、区画壁２１５が形成されている。区画壁２１５は、ケース部材２１０の内部空間を複数の空間に区画するための部位であり、端側壁２１３と正面視形状（図４参照）が同形状の板状体として形成されている。この区画壁２１５は、上面壁２１１、底面壁２１２及び側面壁２１４を連結すると共に、複数（本実施の形態では９個）が、一対の端側壁２１３の対向間において、互いに平行かつ等間隔に配設されている。これにより、ケース部材２１０の内部空間は、その長手方向（図５及び図６左右方向）に沿って、１０個の内部空間に区画される。
【００６２】
このように、ケース部材２１０に複数の区画壁２１５を形成することで、中空箱状に形成されたケース部材２１０全体としての剛性を高めることができる。また、各区画壁２１５の対向間に第１レバー部材２３０及び第２レバー部材２４０がそれぞれ配設されるので、これら両レバー部材２３０，２４０の移動を区画壁２１５で案内することができ、その結果、両レバー部材２３０，２４０の操作性の向上を図ることができる。更に、各区画壁２１５は、一対一組の挿入孔２１１ａの各組同士の間（図５左右方向の間）を区画する位置に形成されているので、隣り合う組の内の一方の組の挿通行２１１ａに配線Ｗを挿通する場合に、その配線Ｗが他方の組の挿入孔２１１ａに既に挿通されている配線Ｗと接触することを回避することができる。
【００６３】
第１レバー部材２３０及び第２レバー部材２４０は、挿入孔２１１ａに対して配線Ｗを挿抜する際に操作される部材であり、一端側がケース部材２１０に揺動可能な状態で軸支されると共に（図７及び図８参照）、他端側（第１操作部２３２及び第２操作部２４２）がケース部材２１０の側壁開口２１４ａから突出され、これら各操作部２３２，２４２が押圧操作されて押し下げられることで、挿入孔２１１ａを介して配線Ｗを挿抜することが可能となる。
【００６４】
付勢部材２５０は、第１レバー部材２３０及び第２レバー部材２４０を端子部材２２０に近接する側へ付勢するための弾性部材であり（図７及び図８参照）、図６に示すように、第１レバー部材２３０及び第２レバー部材２４０のそれぞれに１つずつが配設されている。よって、第１レバー部材２３０及び第２レバー部材２４０のそれぞれを独立して付勢可能（即ち、各挿入孔２１１ａに配線Ｗを挿抜可能かつ配線Ｗを保持可能）に構成されている。
【００６５】
ここで、本実施の形態では、図５及び図６に示すように、第１レバー部材２３０と第２レバー部材２４０とがケース部材２１０の長手方向（図５及び図６左右方向）に沿って交互に配置されている。この場合、第２レバー部材２４０の第２操作部２４２は、第１レバー部材２３０の第１操作部２３２よりも、押圧操作方向（上面壁２１１から底面壁１２１へ向かう方向）と反対側（図４上側）へ後退して位置されている。
【００６６】
即ち、第１操作部２３２が押圧方向奥側（図４下側）に、第２操作部２４２が押圧方向手前側（図４上側）に、互いに位置を異ならせて配置されているので、これら第１操作部２３２及び第２操作部２４２の両方を誤って一度に押圧操作するという誤操作を抑制することができる。よって、第１操作部２３２又は第２操作部２４２の内の一方のみの押圧操作を単独で行い易くすることができるので、第１操作部２３２及び第２操作部２４２の隣接間隔（図５及び図６左右方向間隔）や、第１操作部２３２及び第２操作部２４２の寸法を小さくすることができ、その結果、接続装置２００全体としての小型化を図ることができる。
【００６７】
次いで、図７及び図８を参照して、接続装置２００の詳細構成について説明する。図７は、図５のＶＩＩ−ＶＩＩ線における接続装置２００の断面図であり、図８は、図５のＶＩＩＩ−ＶＩＩＩ線における接続装置２００の断面図である。
【００６８】
図７及び図８に示すように、ケース部材２１０には、縦壁２１６が形成されている。縦壁２１６は、ケース部材２１０の内部空間を、その幅方向（図７及び図８左右方向）の一方側と他方側との２つの空間に区画するための部位であり、上面壁２１１の底面側から底面壁２１２へ向けて垂下される板状体として形成されている。この縦壁２１６は、一対一組の挿入孔２１１ａの間から、図７及び図８に示す断面視において、底面壁２１２と重なる位置まで、垂直に垂下されると共に、長手方向一端側および他端側（図７及び図８紙面垂直方向奥側および手前側）が一対の端側壁２１３にそれぞれ連結されている。これにより、ケース部材２１０は、複数の区画壁２１５により長手方向（図７及び図８紙面垂直方向）に沿って１０個に区画された内部空間が、更に、縦壁２１６によって幅方向（図７及び図８左右方向）に区画されることで、合計２０個の内部空間に区画されている。即ち、複数の挿通行２１１ａの一つずつに内部空間が形成されている。
【００６９】
このように、ケース部材２１０に、上述した複数の区画壁２１５に加え、縦壁２１６を形成することで、中空箱状に形成されたケース部材２１０全体としての剛性を更に高めることができる。また、縦壁２１６により端子部材２２０を支持することができるので、第１レバー部材２３０及び第２レバー部材２４０を端子部材２２０に強固に圧接させることができるので、配線Ｗの保持強度を高めることができる。更に、縦壁２１６は、一対一組の挿入孔２１１ａの間（図７及び図８左右方向の間）を区画する位置に形成されているので、これら一対の挿入孔２１１ａの内の一方の挿入孔２１１ａに配線Ｗを挿通する場合に、その配線Ｗが他方の挿入孔２１１ａに既に挿通されている配線Ｗと接触することを回避することができる。
【００７０】
なお、縦壁２１６の両側面（図７及び図８の右側面および左側面）には、所定幅の凹溝２１６ａがそれぞれ凹設されている。この凹溝２１６ａは、一側（図７及び図８上側）が上面壁２１１を貫通すると共に、他側（図７及び図８下側）が縦壁２１６の中途まで延設されている。これにより、凹溝２１６ａの他側（延設方向下端）には、段差部２１６ｂが形成されている。
【００７１】
また、上面壁２１１には、確認窓２１１ｂが開口形成されており、この確認窓２１１ｂを介して、凹溝２１６ａの一側（延設方向上端、図７及び図８上側）と挿入孔２１１ａとが連通されている。これにより、接続装置２００をパチンコ機１０に装着した後においても（図３参照）、端子部材２２０の組み込み忘れや組み込み不良、或いは、端子部材２２０自体の形状不良などを、確認窓２１１ｂ及び凹溝２１６ａを介して直接視認して、確認することができる。
【００７２】
縦壁２１６の両側面には、端子部材２２０が背中合わせの状態で配設されている。端子部材２２０は、挿入孔２１１ａから挿入された配線Ｗが電気的に接続される金属端子であり、金属材料からなる１枚の板状体をプレス加工により打ち抜き及び折曲して形成されている。ここで、端子部材２２０について、図９を参照して説明する。図９（ａ）は、端子部材２２０の側面図であり、図９（ｂ）は、図９（ａ）の矢印ＩＸｂ方向から視た端子部材２２０の正面図である。
【００７３】
図９に示すように、端子部材２２０は、中央に開口が形成された正面視ロ字状の本体部２２１と、その本体部２２１の開口内縁から延設され背面側（図９（ａ）左側、図９（ｂ）紙面奥側）へ傾斜する傾斜片２２２と、本体部２２１の上縁から延設されると共にその延設先端が折り曲げられて正面側へ突出される突出片２２３と、本体部２２１の下縁から正面側へ向けて延設されると共にその延設先端が下方へ向けて折り曲げられる接続端２２４と、その接続端２２４を挟んで位置し本体部２２１の下縁から本体部２２１側へ折り返されつつ延設される一対の折り返し片２２５とを主に備えている。
【００７４】
本体部２２１は、端子部材２２０の骨格をなす部位であり、その本体部２２１の幅寸法（図９（ｂ）左右方向寸法）は、縦壁２１６の凹溝２１６ａの幅寸法（図７及び図８紙面垂直方向寸法）よりも大きくされ、かつ、隣り合う区画壁２１５の対向間隔（例えば、図５及び図６左右方向寸法）よりも小さくされている。よって、本体部２２１は、縦壁２１６の側面であって、凹溝２１６ａの非形成領域にその背面側が支持される（図７及び図８参照）。
【００７５】
傾斜片２２２は、その幅寸法（図９（ｂ）左右方向寸法）が縦壁２１６の凹溝の幅寸法よりも細幅に形成されている。よって、傾斜片２２２は、本体部２２１が縦壁２１６の側面に支持された状態では、縦壁２１６の凹溝２１６ａ内に収納される（図７及び図８参照）。よって、傾斜片２２２の先端（図９（ａ）下側端）が縦壁２１６の段差部２１６ｂに係止されることで、端子部材２２０がケース部材２１０の内部空間内に保持される。
【００７６】
突出片２２３は、配線Ｗとの主な接続（当接）箇所となる部位であり、第１レバー部材２３０及び第２レバー部材２４０の圧接面２３１ａ，２４１ａにより押圧された配線Ｗが圧接される（図１４参照）。接続片２２４は、外部端子基板１９９（図１５参照）に電気的に接続される部位であり、底面壁２１２の底壁開口２１２ａから外部に突出されている。なお、接続片２２４は、その折り曲げ部が、底面壁２１２の裏面側に凹設された凹設部内に収納されている。これにより、接続片２２４を外部端子基板１９９に接続する場合には、接続片２２４の折り曲げ部の上面側（図７及び図８上側）が、底面壁２１２の凹設部の底面側に支持されるので、その接続作業を効率的に行うことができる。
【００７７】
図７及び図８に戻って説明する。端子部材２２０に対向する位置には、その端子部材２２０に対して近接離間可能な状態で、第１レバー部材２３０及び第２レバー部材２４０がケース部材２１０に軸支されている。ここで、第１レバー部材２３０について、図１０を参照して説明する。図１０（ａ）は、第１レバー部材２３０の正面図であり、図１０（ｂ）は、図１０（ａ）の矢印Ｘｂ方向から視た第１レバー部材２３０の側面図である。
【００７８】
図１０に示すように、第１レバー部材２３０は、第１基部２３１と、その第１基部２３１の一側に連設される第１操作部２３２とを備える。第１基部２３１は、第１操作部２３２と反対側の端部に連設される円柱状の軸支部２３３と、第１操作部２３２側の底面から突出される突出ピン２３４とを主に備えている。
【００７９】
第１基部２３１は、幅寸法（図１０（ａ）左右方向寸法）が小さい小幅部と、その部位よりも幅寸法が大きな大幅部とからなり、小幅部の端部に軸支部２３３が配設されると共に、大幅部の底面に突出ピン２３４が配設されている。また、小幅部の上面側（図１０上側）には、第１操作部２３２から離間する方向へ向けて下降傾斜する平坦面状の傾斜面２３１ａが形成される一方、大幅部の正面側（図１０（ｂ）左側）には、第１操作部２３２と反対側を臨む平坦面状の係止面２３１ｂが形成されている。
【００８０】
軸支部２３３は、ケース部材２１０に回動可能に軸支される部位である。ここで、ケース部材２１０による第１レバー部材２３０の軸支構造について、図１２を参照して説明する。図１２（ａ）は、ケース部材２１０の断面図であり、図１２（ｂ）は、図１２（ａ）のＸＩＩｂ−ＸＩＩｂ線におけるケース部材２１０の断面図である。なお、図１２（ａ）は、図５におけるＶＩＩ−ＶＩＩ線またはＶＩＩＩ−ＶＩＩＩ線におけるケース部材２１０の断面図に対応する。
【００８１】
図１２に示すように、ケース部材２１０の各区画壁２１５は、隣設する区画壁２１５との対向面から突設される突設段部２１５ａをそれぞれ備えると共に、これら各突設段部２１５ａの下側面（図１２下側）には、円弧状に湾曲した湾曲面２１５ａ１が形成されている。よって、第１レバー部材２３０は、その軸支部２３３が湾曲面２１５ａ１により案内されることで、軸支部２３３を回動中心として、端子部材２２０に対して近接または離間する方向へ回動される（図７及び図８参照）。
【００８２】
なお、ケース部材２１０の一対の端側壁２１３及びその端側壁２１３に隣設する区画壁２１５についても、それらの対向面には同様に湾曲面２１５ａ１を備える突接段部２１５ａがそれぞれ突設されている。ここで、これら各端側壁２１３及び区画壁２１５に形成される突設段部２１５ａの湾曲面２１５ａ１は、ケース部材２１０の正面視（即ち、図１２の状態）において、各湾曲面２１５ａ１が同軸状に配置されている。
【００８３】
よって、これら各湾曲面２１５ａ１がそれぞれ異なる位置に配置される場合と比較して、ケース部材２１０の構造を簡素化することができ、その分、製造コストの削減を図ることができる。また、ケース部材２１０を樹脂材料から構成する場合には、樹脂成型性の向上を図ることができる。更に、後述するように、第１レバー部材２３０と第２レバー部材２４０とは第１基部２３１と第２基部２４１とが同じ形状に構成されているので、これら第１レバー部材２３０及び第２レバー部材２４０のケース部材２１０への組み込み作業を共通化して、作業性の向上を図ることができる。また、第１レバー部材２３０と第２レバー部材２４０とのケース部材２１０への組み込み位置を任意に選択することができる。
【００８４】
図１０に戻って説明する。突出ピン２３４は、付勢部材２５０が外嵌される部位であり、先細円柱状に形成されている。傾斜面２３１ａは、端子部材２２０へ向けて下降傾斜されているので、配線Ｗを挿入孔２１１ａから抜き取った状態で第１レバー部材２３０を端子部材２２０へ近接する方向へ回動させる場合には、その傾斜面２３１ａの傾斜により端子部材２２０の突出片２２３先端を案内することができる。よって、突出片２３３先端が第１基部２３１に引っ掛かることを抑制し、端子部材２２０を上方へ持ち上げつつ縦壁２１６の側面へ押圧することができるので、第１レバー部材２３０を初期位置まで確実に復帰させることができる（図７及び図８参照）。
【００８５】
係止面２３１ｂは、ケース部材２１０の上面壁２１１における端縁（側壁開口２１４ａの内縁）に当接する部位である。即ち、第１レバー部材２３０は、配線Ｗが挿入孔２１１ａに挿入されていない状態において、付勢部材２５０の付勢力により端子部材２５０に近接される方向へ回動されると、係止面２３１ｂが上面壁２１１の端縁に当接されることで、その回動が規制される（図７及び図８参照）。なお、第１レバー部材２３０は、付勢部材２５０の付勢力に抗して、端子部材２５０から離間する方向へ回動されると、第１基部２３１の底面側が側面壁２１４の上端（側壁開口２１４ａの内縁）に当接されることで、その回動が規制される。
【００８６】
第１操作部２３２は、ケース部材２１０から突出される部位であり、第１基部２３１から大幅部と平行な方向へ向けて直線状に延設されている。この第１操作部２３２の上面側（図１０（ｂ）上側）には、第１操作面２３５が形成されている。第１操作面２３５は、第１レバー部材２３０の押圧操作時に、作業者により押圧される平坦面状であり、その平坦面には、小突起２３５ａ及び大突起２３５ｂが突設されると共に、窪み部２３５ｃが凹設されている。
【００８７】
小突起２３５ａ及び大突起２３５ｂは、押圧操作時において、滑り止めの役割を果たす部位であり、第１操作部２３２の幅方向（図１０（ａ）左右方向）に延びる断面三角形の突条状の突起として形成されている。なお、本実施の形態では、第１操作部２３２の第１操作面２３５には、第１基部２３１側に２本の小突起２３５ａが列設されると共に、第１操作部２３２の先端側（図１０（ｂ）右側）に小突起２３５ａと大突起２３５ｂとが１本ずつ列設されている。
【００８８】
なお、大突起２３５ｂは、第１操作部２３２（第１操作面２３５）の先端側（即ち、軸支部２３３から最も離間する側）に配設されると共に、大突起２３５ｂの第１操作面２３５からの突設高さは、小突起２３５ａの第１操作面２３５からの突設高さよりも高くされている。また、大突起２３５ｂは、その先端位置が軸支部２３３の軸心（即ち、第１レバー部材２３０の回動中心）から距離Ｌ１だけ離間されている。
【００８９】
窪み部２３５ｃは、小突起２３５ａ及び大突起２３５ｂと同様に、押圧操作時における滑り止めの役割を果たす部位であり、第１操作部２３２の幅方向（図１０（ａ）左右方向）中央において、正面視円形の凹部として第１操作面２３５に凹設されている。
【００９０】
次いで、第２レバー部材２４０について、図１１を参照して説明する。図１１（ａ）は、第２レバー部材２４０の正面図であり、図１１（ｂ）は、図１１（ａ）の矢印ＸＩｂ方向から視た第２レバー部材２４０の側面図である。
【００９１】
図１１に示すように、第２レバー部材２４０は、第２基部２４１と、その第２基部２４１の一側に連設される第２操作部２４２とを備える。第２基部２４１は、第２操作部２４２と反対側の端部に連設される円柱状の軸支部２４３と、第２操作部２４２側の底面から突出される突出ピン２４４とを主に備えている。
【００９２】
ここで、第２基部２４１は、第１レバー部材２３０の第１基部２３１と同様の形状に構成（即ち、傾斜面２４１ａ、係止面２４１ｂ、軸支部２４３及び突出ピン２４４はそれぞれ第１基部２３１の傾斜面２３１ａ、係止面２３１ｂ、軸支部２３３及び突出ピン２３４と同じ形状に構成）されており、ケース部材２１０により支持される支持構造も第１基部２３１の場合と同様であるので、その説明は省略する。
【００９３】
なお、このように、第１レバー部材２３０の第１基部２３１と第２レバー部材２４０の第２基部２４１とを同じ形状とすることで、ケース部材２１０における第１レバー部材２３０の支持構造と第２レバー部材２４０の支持構造とを共通の形状とすることができる（図１２参照）。よって、ケース部材２１０の構造を簡素化して、成型性の向上を図ることができる。また、第１レバー部材２３０及び第２レバー部材２４０のケース部材２１０への組み込み方法を共通として、組み立て性の向上を図ることができる。よって、接続装置２００の製造コストを削減して、その分、パチンコ機１０の製品コストの削減を図ることができる。
【００９４】
なお、第１基部２３１及び第２基部２４１とは、図７及び図８において、第１レバー部材２３０及び第２レバー部材２４０の重複領域に形成される部位であり、非重複領域に形成される部位は、第１操作部２３２及び第２操作部２４２である。よって、第１基部２３１と第２基部２４１とは、第１操作部２３２及び第２操作部２４２の連設位置が異なるという点で相違する。
【００９５】
第２操作部２４２は、ケース部材２１０から突出される部位であり、第２基部２３１の大幅部から上方へ向けて延設される延設部とその延設部から上昇傾斜しつつ延設される傾斜部とから側面視略くの字状に形成されている。この第２操作部２４２の傾斜部の上面側（図１１（ｂ）上側）には、第２操作面２４５が形成されている。第２操作面２４５は、第２レバー部材２４０の押圧操作時に、作業者により押圧される平坦面状であり、その平坦面には、小突起２４５ａ及び大突起２４５ｂが突設されると共に、窪み部２４５ｃが凹設されている。
【００９６】
小突起２４５ａ及び大突起２４５ｂは、押圧操作時において、滑り止めの役割を果たす部位であり、第２操作部２４２の幅方向（図１１（ａ）左右方向）に延びる断面三角形の突条状の突起として形成されている。なお、本実施の形態では、第２操作部２４２の第２操作面２４５には、第２基部２４１側に３本の小突起２４５ａが列設されると共に、第２操作部２４２の先端側（図１１（ｂ）右側）に小突起２４５ａと大突起２４５ｂとが１本ずつ列設されている。
【００９７】
なお、大突起２４５ｂは、第２操作部２４２（第２操作面２４５）の先端側（即ち、軸支部２４３から最も離間する側）に配設されると共に、大突起２４５ｂの第２操作面２４５からの突設高さは、小突起２４５ａの第２操作面２４５からの突設高さよりも高くされている。また、大突起２４５ｂは、その先端位置が軸支部２４３の軸心（即ち、第２レバー部材２４０の回動中心）から距離Ｌ２だけ離間されている。
【００９８】
窪み部２４５ｃは、小突起２４５ａ及び大突起２４５ｂと同様に、押圧操作時における滑り止めの役割を果たす部位であり、第２操作部２４２の幅方向（図１１（ａ）左右方向）中央において、正面視円形の凹部として第２操作面２４５に凹設されている。
【００９９】
ここで、第２レバー部材２４０は、軸支部２４３の軸心から大突起２４５ｂまでの距離Ｌ２が、第１レバー部材２３０における軸支部２３３から大突起２３５ｂまでの距離Ｌ１よりも長くされている（Ｌ１＜Ｌ２）。これにより、第２レバー部材２４０の大突起２４５ｂの先端位置における移動軌跡が、第１レバー部材２３０の第１操作部２３２の突出先端よりも外方を通過する構造（図１４参照）を、第２レバー部材２４０の第２操作部２４２の押圧操作に要する操作力を小さくしつつ、構成することができる。
【０１００】
即ち、上述した距離Ｌ２を距離Ｌ１より短くしても、第２レバー部材２４０の軸支部２４３の配設位置を、第１レバー部材２３０の軸支部２３３の配設位置よりも外方に位置させることで、上述した大突起２４５ｂの先端における移動軌跡が第１操作部２３２の突出先端よりも外方を通過する構造は構成できるが、この場合には、第２レバー部材２４０の第２操作部２４２の押圧操作に要する操作力が大きくなり、操作性が悪化する。
【０１０１】
これに対し、本実施の形態のように構成することで、第２レバー部材２４０の第２操作部２４２を押圧操作する際に、第１操作部２３２及び第２操作部２４２の両方を誤って一度に押圧操作するという誤操作を移動軌跡の関係によって抑制することができるだけでなく、第２操作部２４２の操作力を軽減して、その操作性の向上を図ることもできる。
【０１０２】
図７及び図８に戻って説明する。上述のように構成された第１レバー部材２３０及び第２レバー部材２４０は、ケース部材２１０に装着され、それぞれが端子部材２２０に最も近接する状態（即ち、係止面２３１ｂ、２４１ｂ（図１０及び図１１参照）が上面壁２１１の端縁（側壁開口２１４ａの内縁）に当接された状態）において、第１操作部２３２の第１操作面２３５及び第２操作部２４２の第２操作面２４５がそれぞれ突出先端部（図７及び図８の左方または右方）へ向かうに従って上昇傾斜されているので、第１レバー部材２３０及び第２レバー部材２４０を押圧操作する際の操作性の向上を図ることができる。
【０１０３】
即ち、第１レバー部材２３０及び第２レバー部材２４０を押圧操作する（図７及び図８下方へ押し下げる）際には、第１レバー部材２３０及び第２レバー部材２４０の回動移動に伴って第１操作部２３２の第１操作面２３５上を又は第２操作部２４２の第２操作面２４５上を滑ろうとする操作者の指を、突出先端部へ向かうに従って上昇傾斜される第１操作面２３５又は第２操作面２４５により係止することができ、これにより、押圧操作の操作性の向上を図ることができる。
【０１０４】
更に、第１操作部２３２の第１操作面２３５及び第２操作部２４２の第２操作面２４５に形成される複数の突起の内で、その突設高さが最も高くされる大突起２３５ｂ，２４５ｂは、第１操作面２３５及び第２操作面２４５の突出先端側（即ち、軸支部２３３，２４３から最も離間する側）に配設されている。よって、第１レバー部材２３０及び第２レバー部材２４０を押圧操作する際には、第１操作部２３２の第１操作面２３５及び第２操作部２４２の第２操作面２４５のそれぞれに形成された複数の突起（小突起２３５ａ，２４５ａ及び大突起２３５ｂ，２４５ｂ）により操作者の指を密着させることができるだけでなく、第１レバー部材２３０及び第２レバー部材２４０の回動移動に伴って第１操作部２３２の第１操作面２３５上を又は第２操作部２４２の第２操作面２４５上を滑ろうとする操作者の指を、突出先端に突設される高い突起（大突起２３５ｂ，２４５ｂ）により係止することができる。これにより、押圧操作の操作性の向上を図ることができる。
【０１０５】
このように、指の滑りを防止できるので、第１操作部２３０及び第２操作部２４０の間の隣接間隔や、第１操作部２３２及び第２操作部２４２の寸法を小さくしても、各突起（小突起２３５ａ，２４５ａ及び大突起２３５ｂ，２４５ｂ）の作用により押圧操作の操作性を効果的に確保することができるので、その分、接続装置２００の小型化を図ることができる。
【０１０６】
付勢部材２５０は、第１レバー部材２３０及び第２レバー部材２４０を端子部材２２０に近接する側へ向けて付勢するための部材であり、金属線材を巻回したコイルスプリングとして構成され、第１レバー部材２３０及び第２レバー部材２４０のそれぞれに１本が配設されている。
【０１０７】
この付勢部材２５０は、弾性的に圧縮された圧縮状態で、一端側が第１レバー部材２３０又は第２レバー部材２４０の突出ピン２３４，２４４に外嵌されると共に、他端側がケース部材２１０の底面壁２１２から突出される突出ピン２１２ｂに外嵌されている。よって、第１レバー部材２３０及び第２レバー部材２４０は、付勢部材２５０の弾性回復力により、軸支部２３３，２４３を回動中心として、端子部材２２０に近接する側へ向けて付勢されている。
【０１０８】
ここで、図１３を参照して、接続装置２００に対する配線Ｗの接続および取り外し方法について説明する。図１３は、接続装置２００の断面図であり、図５のＶＩＩＩ−ＶＩＩＩ線における断面図に対応する。なお、第１レバー部材２３０及び第２レバー部材２４０による配線Ｗの接続構造は共に同様であるので、ここでは、第２レバー部材２４０による配線Ｗの接続構造を一例として説明し、第１レバー部材２３０による配線Ｗの接続構造についての説明を省略する。
【０１０９】
図１３に示すように、接続装置２００に配線Ｗを接続する場合には、まず、第２レバー部材２４０の第２操作部２４２における第２操作面２４５を、付勢部材２５０の付勢力に抗しつつ、下方（図１３下方）へ向けて押圧操作して、第２レバー部材２４０を押し下げる。これにより、第２レバー部材２４０が、軸支部２４３を回動中心として、端子部材２２０から離間する側へ向けて回動され、第２レバー部材２４０の第２基体２４１における傾斜面２４１ａが後退される。よって、挿入孔２１１ａが開放されるので、かかる挿入孔２１１ａから配線Ｗを挿入して、端子部材２２０の突出片２２３と第２レバー部材２４０の第２基体２４１との間に配線Ｗを配置した後、第２レバー部材２４０の押圧操作を解除する。その結果、第２レバー部材２４０が、付勢部材２５０の弾性回復力により、端子部材２２０に近接する側へ向けて回動され、その第２レバー部材２４０の回動により、配線Ｗが端子部材２２０に圧接されることで、配線Ｗと端子部材２２０とが電気的に接続される。
【０１１０】
一方、接続装置２００から配線Ｗを取り外す場合には、まず、図１３に示す状態から、第２レバー部材２４０の第２操作部２４２における第２操作面２４５を、付勢部材２５０の付勢力に抗しつつ、下方（図１３下方）へ向けて押圧操作して、第２レバー部材２４０を押し下げる。これにより、第２レバー部材２４０が、軸支部２４３を回動中心として、端子部材２２０から離間する側へ向けて回動され、端子部材２２０と第２レバー部材２４０との間に狭持されていた配線Ｗが開放されるので、配線Ｗを接続装置２００から取り外すことができる。配線Ｗを取り外した後は、第２レバー部材２４０の押圧操作を解除することで、第２レバー部材２４０が、付勢部材２５０の弾性回復力により、端子部材２２０に近接する側へ向けて回動され、初期位置に復帰される（図８参照）。
【０１１１】
ここで、図１３に示すように、配線Ｗが接続された状態（即ち、第２レバー部材２４０が配線Ｗを端子部材２２０に圧接した状態）では、第１操作部２３２の突出先端部が、第２操作部２４２の突出先端部よりも押圧方向視（図１３上下方向視）で外方に位置している。
【０１１２】
具体的には、本実施の形態では、配線Ｗを接続するための空間を担保した状態（即ち、端子部材２２０の突出片２２３と第２レバー部材２４０の第２基体２４１との間に配線Ｗを配置するための空間を設けた状態）において、第１操作面２３５から突設される大突起２３５ｂの先端位置が、第２操作部２４２の突出先端よりも、ケース部材２１０の幅方向（図１３左右方向）外方へ距離ｄ２だけ突出して位置するように構成されている。これにより、例えば、配線Ｗを接続するため、或いは、配線Ｗを取り外すために、第１操作面２３５のみを押圧操作する場合には、第２操作部２４２よりも距離ｄ２だけ外方に突出する領域を利用して、第１操作面２３５のみの押圧操作を、隣の第２操作部２４２に阻害されることなく、単独で行い易くすることができる。
【０１１３】
よって、配線Ｗの取り外し作業を行うために、第１操作部２３２の第１操作面２３５を押圧操作する場合に、第１操作部２３２及び第２操作部２４２の両方を誤って一度に押圧操作するという誤操作を抑制することができる。従って、その分、第１操作部２３２及び第２操作部２４２の間の隣接間隔（図１３紙面垂直方向間隔）や、第１操作部２３２及び第２操作部２４２の寸法を小さくすることができ、接続装置２００の小型化を図ることができる。
【０１１４】
図７及び図８に戻って説明する。上述のように構成された第１レバー部材２３０及び第２レバー部材２４０は、ケース部材２１０に装着され、それぞれが端子部材２２０に最も近接する状態（即ち、係止面２３１ｂ、２４１ｂ（図１０及び図１１参照）が上面壁２１１の端縁（側壁開口２１４ａの内縁）に当接された状態）において、第１操作部２３２の突出先端部が、第２操作部２４２の突出先端部よりも押圧方向視（図７及び図８上下方向視）で外方に位置している。
【０１１５】
具体的には、本実施の形態では、配線Ｗを接続する前の状態において、第１操作面２３５から突設される大突起２３５ｂの先端位置が、第２操作部２４２の突出先端よりも、ケース部材２１０の幅方向（図７及び図８左右方向）外方へ距離ｄ１だけ突出して位置するように構成されている（図５参照）。これにより、例えば、配線Ｗを挿入するために、第１操作面２３５のみを押圧操作する場合には、第２操作部２４２よりも距離ｄ１だけ外方に突出する領域を利用して、第１操作面２３５のみの押圧操作を、隣の第２操作部２４２に阻害されることなく、単独で行い易くすることができる。
【０１１６】
よって、配線Ｗを挿入する作業を行うために、第１操作部２３２の第１操作面２３５を押圧操作する場合に、第１操作部２３２及び第２操作部２４２の両方を誤って一度に押圧操作するという誤操作を抑制することができる。従って、その分、第１操作部２３２及び第２操作部２４２の間の隣接間隔（図７及び図８紙面垂直方向間隔）や、第１操作部２３２及び第２操作部２４２の寸法を小さくすることができ、接続装置２００の小型化を図ることができる。
【０１１７】
また、第１レバー部材２３０及び第２レバー部材２４０は、ケース部材２１０の一側（例えば、図７及び図８右側）に配設される第１レバー部材２３０がケース部材２１０の他側（例えば、図７及び図８左側）に配設される第１レバー部材２３０に向かい合うと共に、ケース部材２１０の一側に配設される第２レバー部材２４０がケース部材２１０の他側に配設される第２レバー部材２４０に向かい合う状態で、配設されている。
【０１１８】
これにより、これら互いに向かい合って配設された一対の第１レバー部材２３０又は一対の第２レバー部材２４０の押圧操作を片手の指（例えば、親指と人差し指）で同時に行うことができ、その結果、例えば、陰極および陽極の一対のバラ線で構成された配線Ｗ（図１３参照）の挿入作業および取り外し作業を効率的に行うことができる。
【０１１９】
また、ケース部材２１０の一側および他側に複数が列設された第１レバー部材２３０及び第２レバー部材２４０の列設端の少なくとも一方には第２レバー部材２４０が配設されている（図５参照）。よって、かかる列設端が壁に面する状態で接続装置２００がパチンコ機１０に配置され、その壁と列設端（第１レバー部材２３０又は第２レバー部材２４０）との間に十分なスペースを確保できない場合であっても、かかる列設端に配設されたレバー部材が第２レバー部材２４０であれば、第１レバー部材２３０よりも押圧操作の方向と反対側に後退している（図７及び図８において上方に位置している）分、壁に阻害され難くなり、その押圧操作を行い易くすることができる。その結果、接続装置２００をパチンコ機１０に設置する際の自由度を高めることができる。
【０１２０】
なお、本実施の形態では、接続装置２００に２本一組の配線Ｗを１０組接続する構成であるので、第１レバー部材２３０及び第２レバー部材２４０の列設端の一方には第１レバー部材２３０が、他方には第２レバー部材２４０が、それぞれ配設される（図５参照）。この場合、本実施の形態のパチンコ機１０では、接続装置２００をタンクレール１３１の下流側上方に配置する必要があるところ、この配置位置は、一側（図３左側）がタンクレール１３１の壁部に面する一方、他側（図３右側）が比較的スペースに余裕のある空間となっている。そこで、接続装置２００は、第２レバー部材２４０が配設される列設端側を、タンクレール１３１の壁部側に向けると共に、第１レバー部材２３０が配設される列設端側を、比較的スペースに余裕のある空間（ケースレール１３２上方）側に向けて、配設されている（図３参照）。これにより、各レバー部材２３０，２４０の操作性を確保することができる。
【０１２１】
次いで、図１４を参照して、第１レバー部材２３０と第２レバー部材２４０との関係について説明する。図１４は、接続装置２００の断面図であり、図５のＶＩＩＩ−ＶＩＩＩ線における断面図に対応する。なお、図１４では、図面を簡素化して、理解を容易とするために、断面視された第２レバー部材２４０に付すべきハッチングの一部が省略されると共に、第１レバー部材２３０の外形が破線を用いて図示されている。
【０１２２】
図１４に示すように、接続装置２００は、第２レバー部材２４０が軸支部２４３（図１１参照）の軸心を回動中心として回動される場合に、その場合の大突起２４５ｂの先端位置における移動軌跡Ｓ２が、第１レバー部材２３０が軸支部２３３（図１０参照）の軸心を回動中心として回動される場合のその大突起２３５ｂの先端位置における移動軌跡Ｓ１よりも外方を通過するように構成されている。
【０１２３】
よって、第１レバー部材２３０の移動軌跡Ｓ１よりも外方を通過する部分を利用して、第２レバー部材２４０のみを、第１レバー部材２３０の第１操作部２３２を越える位置まで容易に押圧操作することができる。よって、第２レバー部材２４０のみを、第１レバー部材２３０の第１操作部２３２を越える位置まで押圧操作する必要がある場合、或いは、不用意に押圧操作した場合であっても、第１操作部２３２および第２操作部２４２の両方を誤って一度に押圧操作するという誤操作を抑制することができる。従って、その分、第１操作部２３２及び第２操作部２４２の間の隣接間隔や、第１操作部２３２及び第２操作部２４２の寸法を小さくすることができるので、接続装置２００の小型化を図ることができる。
【０１２４】
また、接続装置２００は、第１レバー部材２３０が端子部材２２０に最も近接する状態（即ち、係止面２３１ｂ（図１０参照）が上面壁２１１の端縁（側壁開口２１４ａの内縁）に当接された状態）において、図１４に示すように、第２操作部２４２の第２操作面２４５が第１操作部２３２の第１操作面２３５における大突起２３５ｂの先端と一致する位置まで第２レバー部材２４０が押圧操作されると、第２レバー部材２４０が端子部材２２０から離間する側へ後退して、挿入孔２１１ａが全開となるように構成されている。
【０１２５】
これにより、第２操作部２４２の第２操作面２４５が、第１操作部２３１の第１操作面２３５における大突起２３５ｂの先端を越える位置まで、第２レバー部材２４０の押圧操作を行わなくても、配線Ｗの挿入作業および取り外し作業を確実に行うことができる。よって、第２レバー部材２４０を押圧操作する際に、その第２レバー部材２４０の第２操作部２４２に加え、隣の第１操作部２３２をも誤って一度に押圧操作するという誤操作を抑制することができる。従って、その分、第１操作部２３２及び第２操作部２４２の間の隣接間隔や、第１操作部２３２及び第２操作部２４２の寸法を小さくすることができるので、接続装置２００の小型化を図ることができる。
【０１２６】
次に、図１５を参照して、本パチンコ機１０の電気的構成について説明する。図１５は、パチンコ機１０の電気的構成を示すブロック図である。主制御装置１１０には、演算装置である１チップマイコンとしてのＭＰＵ１２０１が搭載されている。ＭＰＵ１２０１には、該ＭＰＵ１２０１により実行される各種の制御プログラム（例えば、遊技者に対して多くの賞球を付与する大当たりの抽選処理など）や固定値データを記憶したＲＯＭ１２０２と、そのＲＯＭ１２０２内に記憶される制御プログラムの実行に際して各種のデータ等を一時的に記憶するためのメモリであるＲＡＭ１２０３と、そのほか、割込回路やタイマ回路、データ送受信回路などの各種回路が内蔵されている。なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【０１２７】
ＲＡＭ１２０３は、ＭＰＵ１２０１の内部レジスタの内容やＭＰＵ１２０１により実行される制御プログラムの戻り先番地などが記憶されるスタックエリアと、各種のフラグおよびカウンタ、Ｉ／Ｏ等の値が記憶される作業エリア（作業領域）とを備えている。ＲＡＭ１２０３は、パチンコ機１０の電源の遮断後においても電源装置１１５からバックアップ電圧が供給されてデータを保持（バックアップ）できる構成となっており、ＲＡＭ１２０３に記憶されるデータは、すべてバックアップされる。
【０１２８】
停電などの発生により電源が遮断されると、その電源遮断時（停電発生時を含む。以下同様）のスタックポインタや、各レジスタの値がＲＡＭ１２０３に記憶される。一方、電源投入時（停電解消による電源投入を含む。以下同様）には、ＲＡＭ１２０３に記憶される情報に基づいて、パチンコ機１０の状態が電源遮断前の状態に復帰される。ＲＡＭ１２０３への書き込みはメイン処理（図示せず）によって電源遮断時に実行され、ＲＡＭ１２０３に書き込まれた各値の復帰は電源投入時の立ち上げ処理（図示せず）において実行される。なお、ＭＰＵ１２０１のＮＭＩ端子（ノンマスカブル割込端子）には、停電等の発生による電源遮断時に、停電監視回路１２５２からの停電信号ＳＧ１が入力されるように構成されており、その停電信号ＳＧ１がＭＰＵ１２０１へ入力されると、停電時処理としてのＮＭＩ割込処理（図示せず）が即座に実行され、電源断の発生情報がＲＡＭ１２０３に記憶される。
【０１２９】
主制御装置１１０のＭＰＵ１２０１には、アドレスバス及びデータバスで構成されるバスライン１２０４を介して入出力ポート１２０５が接続されている。入出力ポート１２０５には、主制御装置１１０へ電源を供給する電源装置１１５を始め、払出制御装置１１１、音声ランプ制御装置１１３、第１図柄表示装置３７、第２図柄表示装置３８や、図示しないスイッチ群やセンサ群などからなる各種スイッチ１２０８や、特定入賞口６５ａの開閉板の下辺を軸として前方側に開閉駆動するための大開放口ソレノイドや電動役物を駆動するためのソレノイドなどからなるソレノイド１２０９が接続されている。
【０１３０】
払出制御装置１１１は、払出モータ１２１６を駆動させて賞球や貸出球の払出制御を行うものである。演算装置であるＭＰＵ１２１１は、そのＭＰＵ１２１１により実行される制御プログラムや固定値データ等を記憶したＲＯＭ１２１２と、ワークメモリ等として使用されるＲＡＭ１２１３とを備えている。
【０１３１】
払出制御装置１１１のＲＡＭ１２１３は、主制御装置１１０のＲＡＭ１２０３と同様に、ＭＰＵ１２１１の内部レジスタの内容やＭＰＵ１２１１により実行される制御プログラムの戻り先番地などが記憶されるスタックエリアと、各種のフラグおよびカウンタ、Ｉ／Ｏ等の値が記憶される作業エリア（作業領域）とを備えている。ＲＡＭ１２１３は、パチンコ機１０の電源の遮断後においても電源装置１１５からバックアップ電圧が供給されてデータを保持（バックアップ）できる構成となっており、ＲＡＭ１２１３に記憶されるデータは、すべてバックアップされる。なお、主制御装置１１０のＭＰＵ１２０１と同様、ＭＰＵ１２１１のＮＭＩ端子にも、停電等の発生による電源遮断時に停電監視回路１２５２から停電信号ＳＧ１が入力されるように構成されており、その停電信号ＳＧ１がＭＰＵ１２１１へ入力されると、停電時処理としてのＮＭＩ割込処理（図示せず）が即座に実行され、電源断の発生情報がＲＡＭ１２１３に記憶される。
【０１３２】
払出制御装置１１１のＭＰＵ１２１１には、アドレスバス及びデータバスで構成されるバスライン１２１４を介して入出力ポート１２１５が接続されている。入出力ポート１２１５には、払出制御装置１１１へ電源を供給する電源装置１１５を始め、主制御装置１１０や払出モータ１２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【０１３３】
発射制御装置１１２は、主制御装置１１０により球の発射の指示がなされた場合に、操作ハンドル５１の回転操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサにより検出し、発射を停止させるための発射停止スイッチが操作されていないことを条件に、操作ハンドル５１の回動量に対応して発射ソレノイドが励磁され、操作ハンドル５１の操作量に応じた強さで球が発射される。
【０１３４】
音声ランプ制御装置１１３は、音声出力装置（図示しないスピーカなど）１２２６における音声の出力、電飾部２９〜３１や表示ランプ３２などのランプ表示装置１２２７における点灯および消灯の出力、表示制御装置１１４で行われる第３図柄表示装置８１の表示態様の設定などを制御すると共に、反射装置３００の反射ユニット３１０，３２０における発光ダイオード３１３（赤色発光ダイオード３１３ａ及び青色発光ダイオード３１３ｂ）の点灯および消灯の出力および扉装置４００の移動装置４３０におけるモータ４３３の駆動を制御するものである。演算装置であるＭＰＵ１２２１は、そのＭＰＵ１２２１により実行される制御プログラムや固定値データ等を記憶したＲＯＭ１２２２と、ワークメモリ等として使用されるＲＡＭ１２２３とを備えている。
【０１３５】
音声ランプ制御装置１１３のＭＰＵ１２２１には、アドレスバス及びデータバスで構成されるバスライン１２２４を介して入出力ポート１２２５が接続されている。入出力ポート１２２５には、音声ランプ制御装置１１３へ電源を供給する電源装置１１５を始め、主制御装置１１０、表示制御装置１１４、音声出力装置１２２６やランプ表示装置１２２７などがそれぞれ接続されている。
【０１３６】
表示制御装置１１４は、第３図柄表示装置（ＬＣＤ）８１における第３図柄の変動表示を制御するものである。表示制御装置１１４は、ＭＰＵ１２３１と、ＲＯＭ（プログラムＲＯＭ）１２３２と、ワークＲＡＭ１２３３と、ビデオＲＡＭ１２３４と、キャラクタＲＯＭ１２３５と、画像コントローラ１２３６と、入力ポート１２３７と、出力ポート１２３８と、バスライン１２３９，１２４０とを備えている。
【０１３７】
入力ポート１２３７の入力側には、表示制御装置１１４へ電源を供給する電源装置１１５、及び、音声ランプ制御装置１１３の出力側が接続され、入力ポート１２３７の出力側には、ＭＰＵ１２３１、ＲＯＭ１２３２、ワークＲＡＭ１２３３、画像コントローラ１２３６が接続されている。
【０１３８】
画像コントローラ１２３６には、ビデオＲＡＭ１２３４、キャラクタＲＯＭ１２３５が接続されると共に、バスライン１２４０を介して出力ポート１２３８が接続されている。出力ポート１２３８の出力側には、第３図柄表示装置８１が接続されている。
【０１３９】
表示制御装置１１４のＭＰＵ１２３１は、音声ランプ制御装置１１３から入力された図柄表示用のコマンドに基づいて、第３図柄表示装置８１の表示内容を制御する。ＲＯＭ１２３２には、ＭＰＵ１２３１により実行される各種の制御プログラムや固定値データが記憶されている。
【０１４０】
また、ワークＲＡＭ１２３３は、図示されないフラグとして、演出許可がされているか否かを示す演出許可フラグや、変動表示を開始すべきか否かを示す変動開始フラグを有している。なお、演出許可フラグ（図示せず）は、主制御装置１１０の初期設定の処理後に送信される演出許可コマンドを音声ランプ制御装置１１３を介して受信するとオンされ、電源断の発生によりオフされる。また、変動開始フラグ（図示せず）は、主制御装置１１０から出力された変動パターンコマンドに対応するコマンドを音声ランプ制御装置１１３から受信した場合にオンされ、第３図柄表示装置８１において変動表示が開始されるとオフされる。
【０１４１】
キャラクタＲＯＭ１２３５は、第３図柄表示装置８１に表示される図柄（背景図柄や装飾図柄）などのキャラクタ情報が記憶されたキャラクタ情報メモリを備えている。このキャラクタ情報メモリに記憶されているキャラクタ情報としては、変動表示される第３図柄の数字データ（例えば、０〜９）や、数字データ以外の図柄データ（例えば、魚やエビの図柄、背景図柄、予告キャラクタ図柄やキャラクタ図柄（例えば、女の子や男の子）などが記憶されている。
【０１４２】
このキャラクタ情報メモリは、記憶するデータ量を少なくするために、上記のようなキャラクタ情報を圧縮形式のデータで記憶している。なお、本実施形態では、キャラクタ情報は約１０２４Ｍバイトで構成されており、その約１０２４Ｍバイトのキャラクタ情報が、約７６８Ｍバイトに圧縮されてキャラクタ情報メモリに記憶されている。キャラクタ情報メモリに圧縮形式のデータとして記憶されているキャラクタ情報は、読み出されると、解凍された後に、ビデオＲＡＭ１２３４のキャラクタ情報記憶領域に書き込まれる。
【０１４３】
ビデオＲＡＭ１２３４は、第３図柄表示装置８１に表示される表示内容（変動表示の演出パターンや、リーチ演出時の演出内容など）に対応する演出データが記憶される表示用記憶領域と、キャラクタＲＯＭ１２３５のキャラクタ情報メモリに記憶された圧縮形式のキャラクタ情報を解凍したデータが記憶されるキャラクタ情報記憶領域とを備えている。
【０１４４】
表示用記憶領域は、第３図柄表示装置８１に表示される演出データを記憶するためのメモリであり、その表示用記憶領域の内容を書き替えることにより、第３図柄表示装置８１の表示内容が変更される。キャラクタ情報記憶領域には、背景図柄や装飾図柄などの素材となるキャラクタデータが記憶され、このキャラクタ情報記憶領域から第３図柄表示装置８１に表示するための必要なデータが読み出されて表示用記憶領域に書き込まれる。
【０１４５】
なお、キャラクタ情報をビデオＲＡＭ１２３４のキャラクタ情報記憶領域に記憶させるのは、一般的に処理速度がＲＯＭよりＲＡＭの方が高速であるためであり、キャラクタ情報をキャラクタＲＯＭ１２３５から表示用記憶領域に直接書き込む場合、読み出すデータ量が大きいと読み出しに時間を有しスムーズな表示ができなかったり鮮明な表示ができないからである。更に、ＲＡＭにおいて表示データの加工（例えば、装飾図柄の大きさの変更や背景図柄の色の変更）などが容易であるためである。
【０１４６】
画像コントローラ１２３６は、ＭＰＵ１２３１、ビデオＲＡＭ１２３４、出力ポート１２３８のそれぞれのタイミングを調整してデータの読み書きに介在すると共に、ビデオＲＡＭ１２３４に記憶される表示データを所定のタイミングで読み出して第３図柄表示装置８１に表示させるものである。
【０１４７】
電源装置１１５は、パチンコ機１０の各部に電源を供給するための電源部１２５１と、停電等による電源遮断を監視する停電監視回路１２５２と、ＲＡＭ消去スイッチ１２２（図５参照）とを有するＲＡＭ消去スイッチ回路１２５３とを備えている。
【０１４８】
電源部１２５１は、入出力ポート１２０５，１２１５，１２２５，１２３７に接続された電源経路を通じて、制御装置１１０〜１１４等に対して各々に必要な動作電圧を供給する装置である。その概要としては、電源部１２５１は、外部より供給される交流２４ボルトの電圧を取り込み、各種スイッチ１２０８などの各種スイッチや、ソレノイド１２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を制御装置１１０〜１１４等に対して必要な電圧を供給する。
【０１４９】
停電監視回路１２５２は、停電等の発生による電源遮断時に、主制御装置１１０のＭＰＵ１２０１及び払出制御装置１１１のＭＰＵ１２１１の各ＮＭＩ端子へ停電信号ＳＧ１を出力するための回路である。停電監視回路１２５２は、電源部１２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理（図示せず）を実行する。なお、電源部１２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し、電源断の発生情報がＲＡＭ１２０３及びＲＡＭ１２１３に記憶して完了することができる。
【０１５０】
ＲＡＭ消去スイッチ回路１２５３は、ＲＡＭ消去スイッチ１２２が押下された場合に、主制御装置１１０へ、バックアップデータをクリアさせるためのＲＡＭ消去信号ＳＧ２を出力するための回路である。主制御装置１１０及び払出制御装置１１１は、パチンコ機１０の電源投入時に、ＲＡＭ消去信号ＳＧ２を入力した場合に、それぞれのバックアップデータをクリアすると共に、払出制御装置１１１においてバックアップデータをクリアさせるための払出初期化コマンドを払出制御装置１１１に対して送信する。
【０１５１】
次いで、第２実施の形態における接続装置２２００について、図１６を参照して説明する。第１実施の形態における接続装置２００では、第１レバー部材２３０と第２レバー部材２４０とが１本ずつ交互に列設される場合を説明したが、第２実施の形態では、所定数の第１レバー部材２３０からなる第１の群と所定数の第２レバー部材２４０からなる第２の群とが交互に列設されている。なお、第１実施の形態と同一の部分については、同一の符号を付してその説明を省略する。
【０１５２】
図１６は、第２実施の形態における接続装置２２００の上面図である。ここで、上述したように、第１レバー部材２３０及び第２レバー部材２４０は、第１基部２３１及び第２基部２４１が同じ形状に構成されると共に、ケース部材２１０における第１レバー部材２３０の支持構造と第２レバー部材２４０の支持構造とは同じ形状で構成されており、第１レバー部材２３０及び第２レバー部材２４０のケース部材２１０への組み込み位置は任意に選択できる。第２実施の形態では、これを利用して、第１レバー部材２３０と第２レバー部材２４０とを次のようにケース部材２１０へ組み込み、接続装置２２００を構成した。
【０１５３】
即ち、接続装置２２００には、２本の第１レバー部材２３０からなる第１の群と、２本の第２レバー部材２４０からなる第２の群とが、ケース部材２１０の一側（例えば、図１６上側）及び他側（例えば、図１６下側）にそれぞれ交互に列設されている。
【０１５４】
このように、２本の第１レバー部材２３０を隣同士に配設して第１の群とすると共に、２本の第２レバー部材２４０を隣同士に配設して第２の群とし、これら第１の群と第２の群とをケース部材２１０の両側にそれぞれ交互に列設することで、第１の群または第２の群の押圧操作をそれぞれ１本の指（例えば、親指１本または人差し指１本など）で行うことができる。その結果、一の群を押圧操作するのみで、２箇所の挿入孔２１１ａが開放され、配線Ｗの挿入または取り外しが可能となるので、例えば、陰極および陽極の一対のバラ線で構成された配線Ｗ（図１３参照）の挿入作業および取り外し作業を一度に行うことができ、かかる作業の効率化を図ることができる。
【０１５５】
また、このように、所定数（本実施の形態では２本）の第１レバー部材２３０を第１の群とすると共に、所定数の第２レバー部材２４０を第２の群としてそれぞれを配設し、これら第１の群または第２の群を同時に押圧操作する構成なので、第１の群および第２の群をそれぞれ構成する各第１レバー部材２３０及び各第２レバー部材２４０の隣設間隔、或いは、各第１レバー部材２３０及び各第２レバー部材２４０の寸法を小さくすることができ、その分、接続装置２２００の小型化を図ることができる。
【０１５６】
また、本実施の形態では、ケース部材２１０の一側および他側に複数が列設された第１の群および第２の群の列設端には、両端（図１６左右端）ともに第２の群（即ち、壁に面する位置に配設されても、押圧操作を阻害され難い第２レバー部材２４０）が配設されている。よって、かかる列設端が壁に面した状態で接続装置２２００をパチンコ機１０に配置することができるので、かかる接続装置２２００をパチンコ機１０に設置する際の自由度を高めることができる。
【０１５７】
なお、本実施の形態では、第１の群および第２の群をそれぞれ２本の第１レバー部材２３０及び第２レバー部材２４０から構成した。これにより、第１の群または第２の群を一単位として押圧操作するのみでなく、１本の第１レバー部材２３０又は１本の第２レバー部材２４０のみを押圧操作する際にも、その作業性を確保することができる。
【０１５８】
即ち、群を構成する所定数を２本とすることで、図１６に示すように、第１レバー部材２３０と第２レバー部材２４０とが隣り合うので、１本の第１レバー部材２３０のみを押圧操作する場合には、突出長さ（図１６上下方向長さ）の違いから隣の第２レバー部材２４０側に形成される空間を利用して、その第１レバー部材２３０を容易に押圧操作でき、また、１本の第２レバー部材２４０のみを押圧操作する場合には、突出高さ（図１６紙面垂直方向高さ）の違いから隣の第１レバー部材２４０側に形成される空間を利用して、その第２レバー部材２４０を容易に押圧操作できる。
【０１５９】
次いで、第３実施の形態における接続装置３２００について、図１７から図１９を参照して説明する。第３実施の形態における接続装置３２００は、第２実施の形態における接続装置２２００に対し、第１の群を構成する第１レバー部材２３０の第１操作部２３２を一体化すると共に、第２の群を構成すると第２レバー部材２４０の第２操作部２４２を一体化して構成されている。なお、上記各実施の形態と同一の部分については、同一の符号を付してその説明を省略する。
【０１６０】
図１７は、第３実施の形態における接続装置３２００の上面図である。第３実施の形態における接続装置３２００は、第１レバー部材３２３０と第２レバー部材３２４０とが、ケース部材２１０の一側（例えば、図１７上側）及び他側（例えば、図１７下側）にそれぞれ交互に列設されている。ここで、第１レバー部材３２３０及び第２レバー部材３２４０について、図１８及び図１９を参照して説明する。
【０１６１】
図１８（ａ）は、第１レバー部材３２３０の正面図であり、図１８（ｂ）は、図１８（ａ）の矢印ＸＶＩＩＩｂ方向から視た第１レバー部材３２３０の側面図である。また、図１９（ａ）は、第２レバー部材３２４０の正面図であり、図１９（ｂ）は、図１９（ａ）の矢印ＸＩＸｂ方向から視た第２レバー部材３２４０の側面図である。
【０１６２】
図１８に示すように、第３実施の形態における第１レバー部材３２３０は、第１実施の形態における第１レバー部材２３０をケース部材２１０に装着される状態で一対並設し、それら一対の第１レバー部材２３０の第１操作部２３２の対向面間を同じ断面形状で連結して一体化した構成とされている。一方、第３実施の形態における第２レバー部材３２３０も同様であり、図１９に示すように、第１実施の形態における第２レバー部材２４０をケース部材２１０に装着される状態で一対並設し、それら一対の第２レバー部材２４０の第２操作部２４２の対向面間を同じ断面形状で連結して一体化した構成とされている。
【０１６３】
よって、第３実施の形態における第１レバー部材３２３０及び第２レバー部材３２４０は、第１レバー部材２３０及び第２レバー部材２４０に対して、一体化のための連結部（第１及び第２操作部２３２，２４２の対向面間に相当する部位）を除き、同じ形状である。従って、第３実施の形態における小突起３２３５ａ，３２４５ａ及び大突起３２３５ａ，３２４５ｂは、一体化のための連結部において同じ断面形状で連結されている以外は第１実施の形態における小突起２３５ａ，２４５ａ及び大突起２３５ａ，２４５ｂと同じ形状である。そのため、軸支部２３３，２４３の軸心から大突起２３５ｂ，２４５ｂまでの距離Ｌ１，Ｌ２についても、第１実施の形態の場合と同様であるので、その図示は省略する。
【０１６４】
図１７に戻って説明する。第３実施の形態における接続装置３２００によれば、第１の群を構成する第１レバー部材３２３０が第１操作部３２３２において一体化されると共に、第２の群を構成する第２レバー部材３２４０が第２操作部３２４２において一体化されているので、第１の群または第２の群の押圧操作をそれぞれ１本の指（例えば、親指１本または人差し指１本など）で行う際に、その押圧操作を確実に行うことができる。即ち、一の群を押圧操作する際に、２箇所の挿入孔２１１ａを確実に開放することができるので、配線Ｗの挿入または取り外し作業の効率化を図ることができる。
【０１６５】
また、このように、各群を構成する第１レバー部材３２３０及び第２レバー部材３２４０を、第１操作部３２３２及び第２操作部３２４２において一体化することで、これら各第１レバー部材３２３０及び各第２レバー部材３２４０の隣設間隔、或いは、各第１レバー部材３２３０及び各第２レバー部材３２４０の寸法を小さくすることができ、その分、接続装置３２００の小型化を図ることができる。
【０１６６】
また、本実施の形態では、第２実施の形態の場合と同様に、ケース部材２１０の一側および他側に複数が列設された第１の群および第２の群の列設端には、両端（図１７左右端）ともに第２の群（即ち、壁に面する位置に配設されても、押圧操作を阻害され難い第２レバー部材３２４０）が配設されている。よって、かかる列設端が壁に面した状態で接続装置３２００をパチンコ機１０に配置することができるので、かかる接続装置３２００をパチンコ機１０に設置する際の自由度を高めることができる。
【０１６７】
以上、実施の形態に基づき本発明を説明したが、本発明は上記各実施の形態に何ら限定されるものではなく、本発明の趣旨を逸脱しない範囲内で種々の変形改良が可能であることは容易に推察できるものである。
【０１６８】
例えば、上記各実施の形態で挙げた数値は一例であり、他の数値を採用することは当然可能である。
【０１６９】
上記各実施の形態では、第１レバー部材２３０，３２３０及び第２レバー部材２４０，３２４０がケース部材２１０に回動可能に軸支される場合を説明したが、必ずしもこれに限られるものではなく、例えば、第１レバー部材２３０，３２３０及び第２レバー部材２４０，３２４０がケース部材２１０にスライド移動可能に支持される構成であっても良い。具体的には、端側壁２１３及び区画壁２１５のそれぞれの対向面に案内溝を凹設すると共に、その案内溝に沿って移動可能な案内凸部を第１レバー部材２３０，３２３０及び第２レバー部材２４０，３２４０の側面から突出させ、第１レバー部材２３０，３２３０及び第２レバー部材２４０，３２４０が押圧操作されると、付勢部材２５０の付勢力に抗して、端子部材２２０から離間する方向へスライド移動する一方、押圧操作が解除されると、付勢部材２５０の付勢力により、端子部材２２０に近接する方向スライド移動するように構成する。
【０１７０】
上記各実施の形態では、第１レバー部材２３０が端子部材２２０に最も近接する状態において、第２操作部２４２の第２操作面２４５が第１操作部２３２の第１操作面２３５における大突起２３５ｂの先端と一致する位置まで第２レバー部材２４０が押圧操作されると、挿入孔２１１ａが全開となる（即ち、第２レバー部材２４０の第２基部２４１と端子部材２２０の突出片２２３との間に挿入孔２１１ａの直径以上の隙間が形成される）場合を説明したが、必ずしもこれに限られるものではなく、他の隙間寸法であっても良い。他の隙間寸法としては、例えば、挿入孔２１１ａの半径以上の隙間であっても良く、配線Ｗの直径の２倍以上の隙間であっても良い。このような構成であっても、第２操作部２４２の第２操作面２４５が、第１操作部２３１の第１操作面２３５における大突起２３５ｂの先端を越える位置まで、第２レバー部材２４０の押圧操作を行わなくても、配線Ｗの挿入作業および取り外し作業を確実に行うことができる。
【０１７１】
なお、挿入孔２１１ａは、第１レバー部材２３０及び第２レバー部材２４０側の端縁が側壁開口２１４ａに連通されていても良い。この場合には、上述した挿入孔２１１ａの直径は、第１レバー部材２３０及び第２レバー部材２４０の移動方向に直交する方向（図５左右方向）における挿入孔２１１ａの幅寸法とされる。
【０１７２】
上記第２実施の形態では、一の群を２本の第１レバー部材２３０又は２本の第２レバー部材２４０から構成する場合を説明したが、必ずしもこれに限られるものではなく、一の群を３本以上から構成することは当然可能である。同様に、上記第３実施の形態では、２本の第１レバー部材２３０又は２本の第２レバー部材２４０を一体化して第１レバー部材３２３０又は第２レバー部材３２４０を構成する場合を説明したが、必ずしもこれに限られるものではなく、３本以上を一体化して構成することは当然可能である。
【０１７３】
本発明を上記実施の形態とは異なるタイプのパチンコ機等に実施しても良い。例えば、Ｖゾーン等の特別領域を有する入賞装置を有するいわゆる第２種パチンコ遊技機などに実施しても良い。
【０１７４】
本発明を上記実施の形態とは異なるタイプのパチンコ機等に実施しても良い。例えば、一度大当たりすると、それを含めて複数回（例えば２回、３回）大当たり状態が発生するまで、大当たり期待値が高められるようなパチンコ機（通称、２回権利物、３回権利物と称される）として実施しても良い。また、大当たり図柄が表示された後に、所定の領域に球を入賞させることを必要条件として遊技者に所定の遊技価値を付与する特別遊技を発生させるパチンコ機として実施しても良い。また、Ｖゾーン等の特別領域を有する入賞装置を有し、その特別領域に球を入賞させることを必要条件として特別遊技状態となるパチンコ機に実施しても良い。更に、パチンコ機以外にも、アレパチ、雀球、スロットマシン、いわゆるパチンコ機とスロットマシンとが融合した遊技機などの各種遊技機として実施するようにしても良い。
【０１７５】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０１７６】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。
【０１７７】
以下に、本発明の遊技機に加えて、上記各実施の形態に含まれる各種発明の概念を示す。遊技情報を外部に出力するための配線が接続される接続装置を備えた遊技機において、前記接続装置は、前記配線が挿入される挿入孔を有するケース部材と、そのケース部材の挿入口の内壁に配設される端子部材と、その端子部材に対して近接離間可能な状態で前記ケース部材に配設されるレバー部材と、そのレバー部材を前記端子部材に近接する側へ向けて付勢する付勢部材と、を備え、前記レバー部材が押圧操作されることで、前記レバー部材が前記端子部材から離間する方向へ移動される一方、そのレバー部材の押圧操作が解除されることで、前記付勢部材の付勢により前記レバー部材が前記端子部材に近接する方向へ移動され、前記レバー部材は、前記ケース部材から突出される第１操作部を有する第１レバー部材と、前記ケース部材から突出される第２操作部を有すると共にその第２操作部が前記第１レバー部材の第１操作部よりも前記押圧操作の方向と反対側へ後退して位置する第２レバー部材とを少なくとも備えることを特徴とする遊技機１。
【０１７８】
遊技機１によれば、配線が挿入される挿入孔を有するケース部材と、そのケース部材の挿入口の内壁に配設される端子部材と、その端子部材に対して近接離間可能な状態で前記ケース部材に配設されるレバー部材と、そのレバー部材を前記端子部材に近接する側へ向けて付勢する付勢部材とを接続装置が備え、レバー部材が押圧操作されることで、レバー部材が端子部材から離間する方向へ移動される一方、そのレバー部材の押圧操作が解除されることで、付勢部材の付勢によりレバー部材が端子部材に近接する方向へ移動される。
【０１７９】
この場合、レバー部材は、ケース部材から突出される第１操作部を有する第１レバー部材と、ケース部材から突出される第２操作部を有すると共にその第２操作部が第１レバー部材の第１操作部よりも押圧操作の方向と反対側へ後退して位置する第２レバー部材とを少なくとも備えるので、接続装置を小型化することができるという効果がある。
【０１８０】
即ち、第１操作部が押圧方向奥側に、第２操作部が押圧方向手前側に、互いに位置を異ならせて配置されているので、これら第１操作部および第２操作部の両方を誤って一度に押圧操作するという誤操作を抑制することができる。よって、第１操作部または第２操作部の内の一方のみの押圧操作を単独で行い易くすることができるので、第１操作部および第２操作部の隣接間隔や、第１操作部および第２操作部の寸法を小さくすることができ、その結果、接続装置の小型化を図ることができる。
【０１８１】
遊技機１において、前記第１レバー部材および第２レバー部材は、それぞれが少なくとも前記端子部材に最も近接する状態において、前記第１操作部の突出先端部が、前記第２操作部の突出先端部よりも押圧方向視で外方に位置することを特徴とする遊技機２。
【０１８２】
遊技機２によれば、第１レバー部材および第２レバー部材がそれぞれ端子部材に最も近接する状態（即ち、配線を挿入する前の状態）において、第１操作部の突出先端部が、第２操作部の突出先端部よりも押圧方向視で外方に位置するので、かかる外方に位置する部分を利用して、第２操作部のみの押圧操作を単独で行い易くすることができるという効果がある。よって、配線を挿入する作業を行うために、第１操作部を押圧操作する場合に、第１操作部および第２操作部の両方を誤って一度に押圧操作するという誤操作を抑制することができる。従って、その分、第１操作部および第２操作部の間の隣接間隔や、第１操作部および第２操作部の寸法を小さくすることができ、接続装置の小型化を図ることができるという効果がある。
【０１８３】
なお、突出先端部としては、接続装置の幅方向において最も外方に位置する部位であっても良く、或いは、第１レバー部材及び第２レバー部材が回動可能に構成される場合には、回動中心から最も離間して位置する部位であっても良い。以下において同様である。
【０１８４】
遊技機１又は２において、前記第１レバー部材および第２レバー部材は、それぞれが前記端子部材との間に前記配線を接続するための空間を設けた状態において、前記第１操作部の突出先端部が、前記第２操作部の突出先端部よりも押圧方向視で外方に位置することを特徴とする遊技機３。
【０１８５】
遊技機３によれば、第１レバー部材および第２レバー部材がそれぞれ前記端子部材との間に前記配線を接続するための空間を設けた状態（即ち、第１レバー部材および第２レバー部材と端子部材との間に配線を配置するための空間を設けた状態）において、第１操作部の突出先端部が、第２操作部の突出先端部よりも押圧方向視で外方に位置するので、かかる外方に位置する部分を利用して、第２操作部のみの押圧操作を単独で行い易くすることができるという効果がある。よって、配線を接続する作業、或いは、配線が接続された後、その配線を取り外す作業を行うために、第１操作部を押圧操作する場合に、第１操作部および第２操作部の両方を誤って一度に押圧操作するという誤操作を抑制することができる。従って、その分、第１操作部および第２操作部の間の隣接間隔や、第１操作部および第２操作部の寸法を小さくすることができ、接続装置の小型化を図ることができるという効果がある。
【０１８６】
遊技機１から３のいずれかにおいて、前記第１レバー部材および第２レバー部材は、それぞれが前記配線を前記端子部材に圧接した状態において、前記第１操作部の突出先端部が、前記第２操作部の突出先端部よりも押圧方向視で外方に位置することを特徴とする遊技機４。
【０１８７】
遊技機４によれば、第１レバー部材および第２レバー部材がそれぞれ配線を端子部材に圧接した状態（即ち、配線が接続された状態）において、第１操作部の突出先端部が、第２操作部の突出先端部よりも押圧方向視で外方に位置するので、かかる外方に位置する部分を利用して、第２操作部のみの押圧操作を単独で行い易くすることができるという効果がある。よって、配線が接続された後、その配線を取り外す作業を行うために、第１操作部を押圧操作する場合に、第１操作部および第２操作部の両方を誤って一度に押圧操作するという誤操作を抑制することができる。従って、その分、第１操作部および第２操作部の間の隣接間隔や、第１操作部および第２操作部の寸法を小さくすることができ、接続装置の小型化を図ることができるという効果がある。
【０１８８】
遊技機１から４のいずれかにおいて、前記第２操作部の突出先端部の移動軌跡が、前記第１操作部の突出先端部よりも外方を通過することを特徴とする遊技機５。
【０１８９】
遊技機５によれば、第２操作部の突出先端部の移動軌跡が、第１操作部の突出先端部よりも外方を通過するので、かかる外方を通過する部分を利用して、第２操作部のみを、第１操作部を越える位置まで押圧する押圧操作を行い易くすることができるという効果がある。よって、第２操作部のみを、第１操作部を越える位置まで押圧操作する必要がある場合、或いは、不用意に押圧操作した場合であっても、第１操作部および第２操作部の両方を誤って一度に押圧操作するという誤操作を抑制することができる。従って、その分、第１操作部および第２操作部の間の隣接間隔や、第１操作部および第２操作部の寸法を小さくすることができ、接続装置の小型化を図ることができるという効果がある。
【０１９０】
遊技機５において、前記第１レバー部材および第２レバー部材は、前記ケース部材に軸支される第１軸支部および第２軸支部をそれぞれ備えると共に、それら第１軸支部および第２軸支部を回動中心として、前記端子部材に対して近接離間する方向へ回動移動されるものであり、前記第２軸支部から第２操作部の突出先端部までの距離が、前記第１軸支部から第１操作部の突出先端部までの距離よりも長くされていることを特徴とする遊技機６。
【０１９１】
遊技機６によれば、第１レバー部材および第２レバー部材は、ケース部材に軸支される第１軸支部および第２軸支部をそれぞれ備えると共に、それら第１軸支部および第２軸支部を回動中心として、端子部材に対して近接離間する方向へ回動移動され、第２軸支部から第２操作部の突出先端部までの距離が、第１軸支部から第１操作部の突出先端部までの距離よりも長くされているので、第２操作部の突出先端部の移動軌跡が、第１操作部の突出先端部よりも外方を通過する構造を、第２操作部の押圧操作に要する操作力を小さくしつつ、構成することができる。よって、第２操作部を押圧操作する際に、第１操作部および第２操作部の両方を誤って一度に押圧操作するという誤操作を抑制することができるだけでなく、第２操作部の操作性の向上を図ることもできるという効果がある。
【０１９２】
遊技機１から６のいずれかにおいて、前記第１レバー部材および第２レバー部材は、前記ケース部材に軸支される第１軸支部および第２軸支部をそれぞれ備えると共に、前記第１軸支部と第２軸支部とが同軸状に配置されていることを特徴とする遊技機７。
【０１９３】
遊技機７によれば、第１軸支部と第２軸支部とが同軸状に配置されているので、これらが異なる位置に配置される場合と比較して、ケース部材の構造を簡素化することができ、その分、製造コストの削減を図ることができるという効果がある。また、ケース部材を樹脂材料から構成する場合には、樹脂成型性の向上を図ることができるという効果がある。
【０１９４】
遊技機１から７のいずかにおいて、前記第１レバー部材および第２レバー部材は、前記第１レバー部材が少なくとも前記端子部材に最も近接した状態において、前記第２操作部の操作面が前記第１操作部の操作面と一致する位置まで前記第２レバー部材が押圧操作されると、前記第２レバー部材と前記端子部材との間に前記挿入孔の半径以上の隙間が形成されることを特徴とする遊技機８。
【０１９５】
遊技機８によれば、第１レバー部材および第２レバー部材は、第１レバー部材が少なくとも端子部材に最も近接した状態において、第２操作部の操作面が第１操作部の操作面と一致する位置まで第２レバー部材が押圧操作されると、第２レバー部材と端子部材との間に挿入孔の半径以上の隙間が形成されるので、第２操作部の操作面が、第１操作部の操作面を越える位置まで、第２レバー部材の押圧操作を行わなくても、配線の挿入作業および取り外し作業を行うことができる。よって、第１操作部および第２操作部の両方を誤って一度に押圧操作するという誤操作を抑制することができるので、その分、第１操作部および第２操作部の間の隣接間隔や、第１操作部および第２操作部の寸法を小さくすることができ、接続装置の小型化を図ることができるという効果がある。
【０１９６】
遊技機１から８のいずかにおいて、前記第１レバー部材および第２レバー部材は、前記第１レバー部材が少なくとも前記端子部材に最も近接した状態において、前記第２操作部の操作面が前記第１操作部の操作面と一致する位置まで前記第２レバー部材が押圧操作されると、前記第２レバー部材と前記端子部材との間に前記挿入孔の直径以上の隙間が形成されることを特徴とする遊技機９。
【０１９７】
遊技機９によれば、第１レバー部材および第２レバー部材は、第１レバー部材が少なくとも端子部材に最も近接した状態において、第２操作部の操作面が第１操作部の操作面と一致する位置まで第２レバー部材が押圧操作されると、第２レバー部材と端子部材との間に挿入孔の直径以上の隙間が形成されるので、第２操作部の操作面が、第１操作部の操作面を越える位置まで、第２レバー部材の押圧操作を行わなくても、配線の挿入作業および取り外し作業を確実に行うことができる。よって、第１操作部および第２操作部の両方を誤って一度に押圧操作するという誤操作を抑制することができるので、その分、第１操作部および第２操作部の間の隣接間隔や、第１操作部および第２操作部の寸法を小さくすることができ、接続装置の小型化を図ることができるという効果がある。
【０１９８】
遊技機１から９のいずかにおいて、前記第１レバー部材および第２レバー部材は、前記第１レバー部材が少なくとも前記端子部材に最も近接した状態において、前記第２操作部の操作面が前記第１操作部の操作面と一致する位置まで前記第２レバー部材が押圧操作されると、前記第２レバー部材と前記端子部材との間に前記配線の直径の２倍以上の隙間が形成されることを特徴とする遊技機１０。
【０１９９】
遊技機１０によれば、第１レバー部材および第２レバー部材は、第１レバー部材が少なくとも端子部材に最も近接した状態において、第２操作部の操作面が第１操作部の操作面と一致する位置まで第２レバー部材が押圧操作されると、第２レバー部材と端子部材との間に配線の直径の２倍以上の隙間が形成されるので、第２操作部の操作面が、第１操作部の操作面を越える位置まで、第２レバー部材の押圧操作を行わなくても、配線の挿入作業および取り外し作業を行うことができる。よって、第１操作部および第２操作部の両方を誤って一度に押圧操作するという誤操作を抑制することができるので、その分、第１操作部および第２操作部の間の隣接間隔や、第１操作部および第２操作部の寸法を小さくすることができ、接続装置の小型化を図ることができるという効果がある。
【０２００】
遊技機１から１０のいずかにおいて、前記第１レバー部材および第２レバー部材は、前記ケース部材に軸支される第１軸支部および第２軸支部をそれぞれ備えると共に、それら第１軸支部および第２軸支部を回動中心として、前記端子部材に対して近接離間する方向へ回動移動されるものであり、前記第１レバー部材および第２レバー部材は、前記第１操作部および第２操作部のそれぞれの操作面に複数の突起が形成されると共に、それら複数の突起は、前記突出先端部における突起の突設高さが最も高くされていることを特徴とする遊技機１１。
【０２０１】
遊技機１１によれば、第１レバー部材および第２レバー部材は、ケース部材に軸支される第１軸支部および第２軸支部をそれぞれ備えると共に、それら第１軸支部および第２軸支部を回動中心として、端子部材に対して近接離間する方向へ回動移動されるものであり、第１レバー部材および第２レバー部材は、第１操作部および第２操作部のそれぞれの操作面に複数の突起が形成されると共に、それら複数の突起は、突出先端部における突起の突設高さが最も高くされているので、第１レバー部材および第２レバー部材を押圧操作する際の操作性の向上を図ることができるという効果がある。
【０２０２】
即ち、第１レバー部材および第２レバー部材を押圧操作する際には、第１操作部および第２操作部のそれぞれの操作面に形成された複数の突起により操作者の指を密着させることができるだけでなく、第１レバー部材および第２レバー部材の回動移動に伴って第１操作部または第２操作部の操作面上を滑ろうとする操作者の指を、突出先端部における高い突起により係止することができる。これにより、押圧操作の操作性の向上を図ることができる。
【０２０３】
従って、本発明によれば、第１操作部および第２操作部の間の隣接間隔や、第１操作部および第２操作部の寸法を小さくしても、突起の作用により押圧操作の操作性を効果的に確保することができるので、その分、接続装置の小型化を図ることができるという効果がある。
【０２０４】
遊技機１から１１のいずかにおいて、前記第１レバー部材および第２レバー部材は、前記ケース部材に軸支される第１軸支部および第２軸支部をそれぞれ備えると共に、それら第１軸支部および第２軸支部を回動中心として、前記端子部材に対して近接離間する方向へ回動移動されるものであり、前記第１レバー部材および第２レバー部材は、前記第１操作部および第２操作部のそれぞれの操作面が前記突出先端部へ向かうに従って上昇傾斜されていることを特徴とする遊技機１２。
【０２０５】
遊技機９によれば、第１レバー部材および第２レバー部材は、ケース部材に軸支される第１軸支部および第２軸支部をそれぞれ備えると共に、それら第１軸支部および第２軸支部を回動中心として、端子部材に対して近接離間する方向へ回動移動されるものであり、第１レバー部材および第２レバー部材は、第１操作部および第２操作部のそれぞれの操作面が突出先端部へ向かうに従って上昇傾斜されているので、第１レバー部材および第２レバー部材を押圧操作する際の操作性の向上を図ることができるという効果がある。
【０２０６】
即ち、第１レバー部材および第２レバー部材を押圧操作する際には、第１レバー部材および第２レバー部材の回動移動に伴って第１操作部または第２操作部の操作面上を滑ろうとする操作者の指を、突出先端部へ向かうに従って上昇傾斜される操作面により係止することができ、これにより、押圧操作の操作性の向上を図ることができる。
【０２０７】
従って、本発明によれば、第１操作部および第２操作部の間の隣接間隔や、第１操作部および第２操作部の寸法を小さくしても、操作面の上昇傾斜の作用により押圧操作の操作性を効果的に確保することができるので、その分、接続装置の小型化を図ることができるという効果がある。
【０２０８】
遊技機１から１２のいずかにおいて、前記第１レバー部材と第２レバー部材とが前記ケース部材の一側に交互に列設されることを特徴とする遊技機１３。
【０２０９】
遊技機１３によれば、第１レバー部材と第２レバー部材とがケース部材の一側に交互に列設されるので、第１レバー部材の第１操作部および第２レバー部材の第２操作部を互いに位置を異ならせて配置する効果を効率的に発揮させ、誤操作を防止することができる。その結果、第１操作部および第２操作部の隣接間隔や、第１操作部および第２操作部の寸法を小さくすることができ、その分、接続装置の小型化を図ることができるという効果がある。
【０２１０】
遊技機１から１３のいずかにおいて、前記第１レバー部材および第２レバー部材が前記ケース部材の一側とその一側に対向する他側とにそれぞれ列設され、前記ケース部材の一側に配設される第１レバー部材が前記ケース部材の他側に配設される第１レバー部材に向かい合うと共に、前記ケース部材の一側に配設される第２レバー部材が前記ケース部材の他側に配設される第２レバー部材に向かい合うことを特徴とする遊技機１４。
【０２１１】
遊技機１４によれば、第１レバー部材および第２レバー部材がケース部材の一側とその一側に対向する他側とにそれぞれ列設され、ケース部材の一側に配設される第１レバー部材がケース部材の他側に配設される第１レバー部材に向かい合うと共に、ケース部材の一側に配設される第２レバー部材がケース部材の他側に配設される第２レバー部材に向かい合うので、これら互いに向かい合って配設された一対の第１レバー部材または一対の第２レバー部材の押圧操作を片手の指（例えば、親指と人差し指）で同時に行うことができ、その結果、例えば、陰極および陽極の一対のバラ線で構成された配線などの挿入作業および取り外し作業を効率的に行うことができるという効果がある。
【０２１２】
遊技機１３又は１４において、前記列設された第１レバー部材および第２レバー部材の列設端には前記第２レバー部材が配設されることを特徴とする遊技機１５。
【０２１３】
遊技機１５によれば、列設された第１レバー部材および第２レバー部材の列設端には第２レバー部材が配設されるので、接続装置を設置する位置の自由度を高めることができるという効果がある。即ち、列設端が壁に面する状態で接続装置が遊技機に配置され、その壁と列設端（第１又は第２レバー部材）との間に十分なスペースを確保できない場合であっても、かかる列設端に配設されたレバー部材が第２レバー部材であれば、第１レバー部材よりも押圧操作の方向と反対側に後退している分、第１レバー部材の場合よりも、その押圧操作を行い易くすることができ、その結果、接続装置を設置する位置の自由度を高めることができる。
【０２１４】
遊技機１から１２のいずかにおいて、所定数の前記第１レバー部材からなる第１の群と所定数の前記第２レバー部材からなる第２の群とが前記ケース部材の一側に交互に列設されることを特徴とする遊技機１６。
【０２１５】
遊技機１６によれば、所定数の第１レバー部材からなる第１の群と所定数の第２レバー部材からなる第２の群とがケース部材の一側に交互に列設されるので、第１の群または第２の群の押圧操作を１本の指で行うことができ、その結果、所定数のバラ線で構成された配線の挿入作業および取り外し作業を効率的に行うことができるという効果がある。
【０２１６】
また、このように、所定数の第１レバー部材を第１の群として、または、所定数の第２レバー部材を第２の群として、それぞれ配設し、これら第１の群または第２の群のいずれかを同時に押圧操作する構成なので、第１の群を構成する各第１レバー部材の隣設間隔および第２の群を構成する所定数の第２レバー部材の寸法を小さくすることができ、その分、接続装置の小型化を図ることができるという効果がある。
【０２１７】
遊技機１６において、前記第１の群を構成する第１レバー部材の第１操作部が一体に構成されると共に、前記第２の群を構成すると第２レバー部材の第２操作部が一体に構成されていることを特徴とする遊技機１７。
【０２１８】
遊技機１７によれば、第１の群を構成する第１レバー部材の第１操作部が一体に構成されると共に、第２の群を構成すると第２レバー部材の第２操作部が一体に構成されているので、第１の群または第２の群のいずれかの押圧操作を１本の指で確実に行うことができ、その結果、所定数のバラ線で構成された配線の挿入作業および取り外し作業をより効率的に行うことができるという効果がある。
【０２１９】
遊技機１６又は１７において、前記列設された第１の群および第２の群の列設端には前記第２の群が配設されることを特徴とする遊技機１８。
【０２２０】
遊技機１８によれば、列設された第１の群および第２の群の列設端には第２の群が配設されるので、接続装置を設置する位置の自由度を高めることができるという効果がある。即ち、列設端が壁に面する状態で接続装置が遊技機に配置され、その壁と列設端（第１又は第２の群）との間に十分なスペースを確保できない場合であっても、かかる列設端に配設された群が第２レバー部材から構成される第２の群であれば、第１の群よりも押圧操作の方向と反対側に後退しているので、第１の群の場合よりも、その押圧操作を行い易くすることができ、その結果、接続装置を設置する位置の自由度を高めることができる。
【０２２１】
遊技機１から１８のいずかにおいて、前記第１レバー部材は、前記端子部材に対して近接離間可能に前記ケース部材に支持されると共に前記第１操作部が連設される第１本体部を備え、前記第２レバー部材は、前記端子部材に対して近接離間可能に前記ケース部材に支持されると共に前記第２操作部が連設される第１本体部を備え、前記第１本体部と第２本体部とが同じ形状に構成されていることを特徴とする遊技機１９。
【０２２２】
遊技機１９によれば、第１レバー部材は、端子部材に対して近接離間可能にケース部材に支持されると共に第１操作部が連設される第１本体部を備え、第２レバー部材は、端子部材に対して近接離間可能にケース部材に支持されると共に第２操作部が連設される第１本体部を備え、これら第１本体部と第２本体部とが同じ形状に構成されているので、ケース部材における第１レバー部材の支持構造と第２レバー部材の支持構造とを共通の形状とすることができる。よって、ケース部材の構造を簡素化して、成型性の向上を図ることができると共に、第１レバー部材および第２レバー部材のケース部材への組み込み方法を共通として、組み立て性の向上を図ることができるので、その分、製造コストの削減を図ることができるという効果がある。
【符号の説明】
【０２２３】
１０                        パチンコ機（遊技機）
Ｗ                          配線
２００，２２００，３２００  接続装置
２１０                      ケース部材
２１１ａ                    挿入孔
２２０                      端子部材
２３０                      第１レバー部材（レバー部材の一部）
２３２，３２３２            第１操作部
２４０                      第２レバー部材（レバー部材の一部）
２４２，３２４２            第２操作部
２５０                      付勢部材
【図１】
2014208227.tif 000003
【図２】
2014208227.tif 000004
【図３】
2014208227.tif 000005
【図４】
2014208227.tif 000006
【図５】
2014208227.tif 000007
【図６】
2014208227.tif 000008
【図７】
2014208227.tif 000009
【図８】
2014208227.tif 000010
【図９】
2014208227.tif 000011
【図１０】
2014208227.tif 000012
【図１１】
2014208227.tif 000013
【図１２】
2014208227.tif 000014
【図１３】
2014208227.tif 000015
【図１４】
2014208227.tif 000016
【図１５】
2014208227.tif 000017
【図１６】
2014208227.tif 000018
【図１７】
2014208227.tif 000019
【図１８】
2014208227.tif 000020
【図１９】
2014208227.tif 000021